(57)【要約】      （修正有）【課題】ブラシ部を往復運動させる電動歯ブラシに用いることで、大きな歯垢除去効果を奏するブラシ部を提供する。【解決手段】Ｚ軸方向に往復運動する電動歯ブラシのブラシ部２１であって、Ｚ軸に平行な第１方向に第１先端が突出するように配設された第１毛束と、該一方向への成分を有する第２方向に第２先端が突出するように配設された第２毛束と、該一方向への成分を有する第３方向に第３先端が突出するように配設された第３毛束とを備え、Ｚ軸第２先端足とＺ軸第３先端足とのいずれも、Ｚ軸第１先端足よりも該一方向側に位置すると共に、ＸＹ面第２先端足とＸＹ面第３先端足とを結ぶ線分である連結線分を含む連結直線に、ＸＹ面第１先端足から垂線を下ろした位置足がＸＹ面第２先端足とＸＹ面第３先端足との間の連結線分に含まれるか、又はＸＹ面第１先端足が連結線分に含まれるものである、ブラシ部である。【選択図】図２
2019097915.tif 000002
【特許請求の範囲】
【請求項１】
Ｚ軸方向に往復運動する電動歯ブラシのブラシ部であって、
第１基端が支持され、Ｚ軸に平行な両方向のうち一方向への成分を有する第１方向に向けて第１先端が突出するように配設された第１毛束と、
第２基端が支持され、該一方向への成分を有する第２方向に向けて第２先端が突出するように配設された第２毛束と、
第３基端が支持され、該一方向への成分を有する第３方向に向けて第３先端が突出するように配設された第３毛束と、を備えてなり、
Ｚ軸に第２先端から下ろした垂線の足であるＺ軸第２先端足と、Ｚ軸に第３先端から下ろした垂線の足であるＺ軸第３先端足と、のいずれも、Ｚ軸に第１先端から下ろした垂線の足であるＺ軸第１先端足よりも該一方向側に位置すると共に、
Ｚ軸に垂直なＸＹ平面に第２先端から下ろした垂線の足であるＸＹ面第２先端足と、ＸＹ平面に第３先端から下ろした垂線の足であるＸＹ面第３先端足と、を結ぶ線分である連結線分を含む連結直線に、ＸＹ平面に第１先端から下ろした垂線の足であるＸＹ面第１先端足から垂線を下ろした位置足がＸＹ面第２先端足とＸＹ面第３先端足との間の連結線分に含まれるか、又はＸＹ面第１先端足が連結線分に含まれるものである、ブラシ部。
【請求項２】
ＸＹ面第２先端足とＸＹ面第３先端足とに一対の対角が存しＸＹ平面に存する菱形の内部に、ＸＹ面第１先端足が存するものである、請求項１に記載のブラシ部。
【請求項３】
前記対角が４５度である、請求項２に記載のブラシ部。
【請求項４】
Ｚ軸第２先端足とＺ軸第３先端足とが一致する、請求項１乃至３のいずれか１に記載のブラシ部。
【請求項５】
Ｚ軸第２先端足とＺ軸第１先端足との間の距離と、Ｚ軸第３先端足とＺ軸第１先端足との間の距離と、のいずれもが１．０ｍｍ〜３．０ｍｍである、請求項１乃至４のいずれか１に記載のブラシ部。
【請求項６】
前記位置足、又はＸＹ面第１先端足が連結線分に含まれる場合のＸＹ面第１先端足と、連結線分の中点と、の間の距離ｄ１を連結線分の長さｄ０で除した値（ｄ１／ｄ０）が０〜１／３である、請求項１乃至５のいずれか１に記載のブラシ部。
【請求項７】
前記連結線分にＸＹ面第２先端足にて直交する直線であるＸＹ面第２先端足直交直線によりＸＹ平面が、ＸＹ面第３先端足が存する一方と、他方と、に分割され、
ＸＹ平面に第２基端から下ろした垂線の足であるＸＹ面第２基端足が、該他方に存するものである、請求項１乃至６のいずれか１に記載のブラシ部。
【請求項８】
ＸＹ面第２基端足が、連結線分を含む連結直線に存するものである、請求項７に記載のブラシ部。
【請求項９】
Ｚ軸に平行で連結線分を含む平面への第２毛束の長手方向と平行な直線の正投影が、Ｚ軸に対する角度が３〜１０度である、請求項７又は８に記載のブラシ部。
【請求項１０】
前記連結線分にＸＹ面第３先端足にて直交する直線であるＸＹ面第３先端足直交直線によりＸＹ平面が、ＸＹ面第２先端足が存する一方と、他方と、に分割され、
ＸＹ平面に第３基端から下ろした垂線の足であるＸＹ面第３基端足が、該他方に存するものである、請求項７乃至９のいずれか１に記載のブラシ部。
【請求項１１】
ＸＹ面第３基端足が、連結線分を含む連結直線に存するものである、請求項１０に記載のブラシ部。
【請求項１２】
Ｚ軸に平行で連結線分を含む平面への第３毛束の長手方向と平行な直線の正投影が、Ｚ軸に対する角度が３〜１０度である、請求項１０又は１１に記載のブラシ部。
【請求項１３】
第１毛束が、Ｚ軸に平行な真っ直ぐのものであり、
第２毛束と第３毛束とが、Ｚ軸に平行な平面に対して面対称に配設されるものである、請求項１乃至１２のいずれか１に記載のブラシ部。
【請求項１４】
請求項１乃至１３のいずれか１に記載の２のブラシ部を含んでなり、
該２のブラシ部のうち一方のブラシ部の第１先端と該２のブラシ部のうち他方のブラシ部の第１先端と、該一方のブラシ部の第２先端と該他方のブラシ部の第２先端と、該一方のブラシ部の第３先端と該他方のブラシ部の第３先端と、のいずれもが、Ｚ軸に平行な平面に対し面対称に存するものである、ブラシ部。
【請求項１５】
請求項１乃至１４のいずれか１に記載のブラシ部と、該ブラシ部が着脱自在に取り付けられ該ブラシ部をＺ軸方向に往復運動させる本体部と、を備えてなる電動歯ブラシ。
【発明の詳細な説明】
【技術分野】
【０００１】
本発明は、電動歯ブラシのブラシ部に関し、より詳細には、ブラシ部を往復運動させる電動歯ブラシに使用する、歯垢除去効果が大きいブラシ部に関する。
【背景技術】
【０００２】
以前から、ブラシ部を往復運動させる電動歯ブラシが知られている（例えば、特許文献１参照）。
特許文献１には、「静粛性を有し、携帯に便利で、しかもファッション性に優れると共に、歯ブラシ体の簡易な着脱構造を有する電動歯ブラシを提供する」（特許文献１の段落番号０００５）ために考案された「一方側が先端に振動伝達杆を有する連結部をなし、他方側に乾電池の格納部が形成され、中間域において駆動モータを内蔵するとともにその外周面に外部カバーが嵌合一体化された本体と、前記格納部を囲繞し開放側端部が前記本体の他方側に嵌合される本体カバー体と、前記振動伝達杆に着脱自在に連結される歯ブラシ体と、該歯ブラシ体を囲繞し開放側端部が前記本体の一方側に嵌合される歯ブラシケース体とからなる電動歯ブラシであって、前記本体の連結部および前記歯ブラシ体は抗菌機能を有し、前記本体カバー体、前記外部カバーおよび前記歯ブラシケース体の外縁形状が８角形柱状であり、前記歯ブラシケース体の閉塞側端部に装飾部材を取替自在に配した装飾部が形成されていることを特徴とする電動歯ブラシ」（特許文献１の段落番号０００６）が開示されている。かかる電動歯ブラシによれば、「前記本体の連結部および前記歯ブラシ体は抗菌機能を有し、本体に接続される歯ブラシ体を歯ブラシケース体で覆うものであり、雑菌類の付着・増殖が抑制されるので口腔内衛生面に優れ、職場や旅行先への携帯に便利である。また、外縁形状が８角形柱状を呈しているので取り扱い時での転動が防止でき、歯ブラシケース体の閉鎖側端部に真珠、天然石あるいは人造宝石等の装飾部材を取替自在とした装飾部を配してファッション性を高めている。」（特許文献１の段落番号０００８）という効果を奏するものである。
【先行技術文献】
【特許文献】
【０００３】
【特許文献１】実用新案登録第３１３４１１５号公報（例えば、要約、考案の詳細な説明中の段落番号０００１〜０００８、第２図等）
【発明の概要】
【発明が解決しようとする課題】
【０００４】
特許文献１に開示の電動歯ブラシは、ブラシ部（特許文献１における歯ブラシ体４）を往復運動させる電動歯ブラシであり、前述の如く、衛生面向上、転動防止及びファッション性向上等について考慮されているが、歯ブラシに本来要求される歯垢除去効果の向上については改良されていない。
そこで、本発明では、ブラシ部を往復運動させる電動歯ブラシに用いることで、大きな歯垢除去効果を奏するブラシ部を提供することを目的とする。
【課題を解決するための手段】
【０００５】
電動歯ブラシに用いる本発明のブラシ部（以下「本ブラシ部」という。）は、Ｚ軸方向に往復運動する電動歯ブラシのブラシ部であって、第１基端が支持され、Ｚ軸に平行な両方向のうち一方向への成分を有する第１方向に向けて第１先端が突出するように配設された第１毛束と、第２基端が支持され、該一方向への成分を有する第２方向に向けて第２先端が突出するように配設された第２毛束と、第３基端が支持され、該一方向への成分を有する第３方向に向けて第３先端が突出するように配設された第３毛束と、を備えてなり、Ｚ軸に第２先端から下ろした垂線の足であるＺ軸第２先端足と、Ｚ軸に第３先端から下ろした垂線の足であるＺ軸第３先端足と、のいずれも、Ｚ軸に第１先端から下ろした垂線の足であるＺ軸第１先端足よりも該一方向側に位置すると共に、Ｚ軸に垂直なＸＹ平面に第２先端から下ろした垂線の足であるＸＹ面第２先端足と、ＸＹ平面に第３先端から下ろした垂線の足であるＸＹ面第３先端足と、を結ぶ線分である連結線分を含む連結直線に、ＸＹ平面に第１先端から下ろした垂線の足であるＸＹ面第１先端足から垂線を下ろした位置足がＸＹ面第２先端足とＸＹ面第３先端足との間の連結線分に含まれるか、又はＸＹ面第１先端足が連結線分に含まれるものである、ブラシ部である。
【０００６】
本ブラシ部は、Ｚ軸方向に往復運動する電動歯ブラシのブラシ部である。ここでは互いに直交する３軸であるＸ軸、Ｙ軸及びＺ軸をとり、Ｚ軸は、ブラシ部が往復運動する方向と平行である。
本ブラシ部は、第１毛束と第２毛束と第３毛束とを備えてなる。
第１毛束は、第１毛束の基端である第１基端が支持されると共に、第１毛束の先端である第１先端（自由端）が第１方向に向けて突出する。第１方向は、Ｚ軸に平行な両方向のうち一方向への成分を有する方向である。
第２毛束は、第２毛束の基端である第２基端が支持されると共に、第２毛束の先端である第２先端（自由端）が第２方向に向けて突出する。第２方向は、Ｚ軸に平行な両方向のうち該一方向（第１方向が有する該成分の方向と同じ）への成分を有する方向である。
第３毛束は、第３毛束の基端である第３基端が支持されると共に、第３毛束の先端である第３先端（自由端）が第３方向に向けて突出する。第３方向は、Ｚ軸に平行な両方向のうち該一方向（第１方向が有する該成分の方向と同じ）への成分を有する方向である。
【０００７】
そして、Ｚ軸に第２先端から下ろした垂線の足であるＺ軸第２先端足と、Ｚ軸に第３先端から下ろした垂線の足であるＺ軸第３先端足と、のいずれも、Ｚ軸に第１先端から下ろした垂線の足であるＺ軸第１先端足よりも該一方向側に位置する。このため第１毛束の先端である第１先端よりも、第２毛束の先端である第２先端と、第３毛束の先端である第３先端と、のいずれもが（Ｚ軸に平行な両方向のうち該一方向側から見て）高く突出している。
さらに、Ｚ軸に垂直なＸＹ平面に第２先端から下ろした垂線の足であるＸＹ面第２先端足と、ＸＹ平面に第３先端から下ろした垂線の足であるＸＹ面第３先端足と、を結ぶ線分である連結線分を含む連結直線に、ＸＹ平面に第１先端から下ろした垂線の足であるＸＹ面第１先端足から垂線を下ろした位置足がＸＹ面第２先端足とＸＹ面第３先端足との間の連結線分に含まれるか、又はＸＹ面第１先端足が連結線分に含まれるものである。即ち、Ｚ軸に垂直な一平面であるＸＹ平面（Ｘ軸及びＹ軸に平行な平面）に、線分である連結線分が存在する。この連結線分の一端には、第２先端から該ＸＹ平面に下ろした垂線の足であるＸＹ面第２先端足が存し、連結線分の他端には、第３先端から該ＸＹ平面に下ろした垂線の足であるＸＹ面第３先端足が存する。そして、（１）第１先端から該ＸＹ平面に下ろした垂線の足であるＸＹ面第１先端足が連結線分に含まれるか、又は（２）連結線分を含む連結直線にＸＹ面第１先端足から垂線を下ろした足である位置足が連結線分に含まれる。
第１先端、第２先端及び第３先端がこのような位置関係に存することで、Ｚ軸に平行な両方向のうち該一方向（第１方向が有する該成分の方向と同じ）側から見たときに、第２先端と第３先端との間に第１先端が存すると共に、第１先端よりも第２先端と第３先端とが突出している。このため本ブラシ部をＺ軸に平行な両方向に運動（振動）させつつ、該一方向側に存する歯牙に本ブラシ部を接触させ押圧することで、第１先端が歯牙の表面（唇側、頬側、舌側及び口蓋側の面）に接触することで該表面の歯垢を除去すると共に、第２先端及び第３先端が歯間に進入することで該歯間に面する歯牙の側面（近心面、遠心面）に接触することで該側面の歯垢を除去することができ、歯牙の表面及び側面の歯垢を同時に除去することができる。
【０００８】
本ブラシ部においては、ＸＹ面第２先端足とＸＹ面第３先端足とに一対の対角が存しＸＹ平面に存する菱形の内部に、ＸＹ面第１先端足が存するもの（以下「菱形配置本ブラシ部」という。）であってもよい。
ＸＹ平面に存する菱形であり、その一対の対角のうち一方がＸＹ面第２先端足に存し、該一対の対角のうち他方がＸＹ面第３先端足に存する該菱形の内部に、ＸＹ面第１先端足が存することで、第２先端及び第３先端が歯牙の近心側及び遠心側の歯間にそれぞれ進入した際に、該歯牙の表面に第１先端がうまく接触でき歯垢を除去できる（歯牙の表面は該菱形に沿った部分を有することが多い。）。
【０００９】
菱形配置本ブラシ部においては、前記対角が４５度であってもよい。
ＸＹ面第１先端足が内部に存する前記菱形の前記一対の対角（ＸＹ面第２先端足及びＸＹ面第３先端足が存する。）は、あまり大きいと、第２先端及び第３先端が歯牙の近心側及び遠心側の歯間にそれぞれ進入したとき、該歯牙の表面に第１先端がうまく接触できない場合が生じうるので、好ましくは４５度、より好ましくは３０度、最も好ましくは２０度である。
【００１０】
本ブラシ部においては、Ｚ軸第２先端足とＺ軸第３先端足とが一致するものであってもよい。
こうすることで、ブラシ部が往復運動するＺ軸方向に関し、第２先端及び第３先端の位置が同じ（運動方向に関し、高さが同じ）であるので、第２先端及び第３先端を、歯牙の近心側及び遠心側の歯間にそれぞれうまく進入させるように容易に本ブラシ部を配置することができる（もし、第２先端及び第３先端のＺ軸方向に関する位置が大きく異なると、両先端を両歯間に進入させることが難しい状況が生じうる。）。
【００１１】
本ブラシ部においては、Ｚ軸第２先端足とＺ軸第１先端足との間の距離と、Ｚ軸第３先端足とＺ軸第１先端足との間の距離と、のいずれもが１．０ｍｍ〜３．０ｍｍであってもよい。
Ｚ軸第２先端足とＺ軸第１先端足との間の距離と、Ｚ軸第３先端足とＺ軸第１先端足との間の距離と、のいずれも、あまり小さいと歯牙の表面に第１先端が接触した状態で第２先端及び第３先端を歯間に十分進入させることが困難になり、あまり大きいと本ブラシ部の取り扱いが困難になることから、これらを両立させる範囲としてもよく、好ましくは０．５ｍｍ以上、より好ましくは１．０ｍｍ以上、最も好ましくは１．５ｍｍ以上であり、好ましくは３．５ｍｍ以下、より好ましくは３．０ｍｍ以下、最も好ましくは２．５ｍｍ以下である。
【００１２】
本ブラシ部においては、前記位置足、又はＸＹ面第１先端足が連結線分に含まれる場合のＸＹ面第１先端足と、連結線分の中点と、の間の距離ｄ１を連結線分の長さｄ０で除した値（ｄ１／ｄ０）が０〜１／３であってもよい。
ＸＹ平面に第１先端から下ろした垂線の足であるＸＹ面第１先端足が連結線分に含まれる場合のＸＹ面第１先端足又は連結線分を含む連結直線にＸＹ面第１先端足から垂線を下ろした位置足とのいずれかと、連結線分の中点と、の間の距離ｄ１（即ち、ＸＹ面第１先端足が連結線分に含まれる場合であればＸＹ面第１先端足と連結線分中点との間の距離がｄ１であり、ＸＹ面第１先端足が連結線分に含まれない場合であれば位置足と連結線分中点との間の距離がｄ１である。）は、連結線分に沿って連結線分中点からＸＹ面第１先端足がどの程度離れているかを示すものであるので、この距離ｄ１を連結線分長さｄ０で除した値（ｄ１／ｄ０）は、ＸＹ面に沿って第２先端と第３先端と間で第１先端が真ん中（連結線分の中点）からどの程度外れているかを示す。このため値（ｄ１／ｄ０）はあまり大きいと歯牙の表面にむらなく第１先端が接触することが困難になりうるので、好ましくは１／３以下であり、より好ましくは１／４以下であり、最も好ましくは１／６以下である（連結線分に沿って連結線分中点にＸＹ面第１先端足が存していれば、ｄ１＝０であり値（ｄ１／ｄ０）の最小値０を与える。）。
【００１３】
本ブラシ部においては、前記連結線分にＸＹ面第２先端足にて直交する直線であるＸＹ面第２先端足直交直線によりＸＹ平面が、ＸＹ面第３先端足が存する一方と、他方と、に分割され、ＸＹ平面に第２基端から下ろした垂線の足であるＸＹ面第２基端足が、該他方に存するもの（以下「毛束傾斜本ブラシ部」という。）であってもよい。
ＸＹ平面に存するＸＹ面第２先端足直交直線によってＸＹ平面が一方と他方とに分割される。ＸＹ面第２先端足直交直線は、連結線分にＸＹ面第２先端足にて直交するＸＹ平面に存する直線である。そして、分割された該一方にＸＹ面第３先端足が存すると共に、ＸＹ平面に第２基端から下ろした垂線の足であるＸＹ面第２基端足が該他方に存する。これによりＸＹ面第３先端足が存する該一方とは異なる該他方にＸＹ面第２基端足が存するため、ＸＹ面第３先端足に対してＸＹ面第２先端足よりもＸＹ面第２基端足の方が遠方にあり、第２毛束の第２先端が第３毛束に近づくように第２方向が傾斜している。これにより第２先端が歯間に進入した際、該歯間に面する歯牙の側面（近心面、遠心面）に第２先端及びその近傍がうまく接触することで該側面の歯垢を効果的に除去することができる。
【００１４】
毛束傾斜本ブラシ部においては、ＸＹ面第２基端足が、連結線分を含む連結直線に存するものであってもよい。
こうすることで、第２毛束が第３毛束方向に真っ直ぐに近づくよう第２方向が傾斜している（第２毛束が真っ直ぐなものであれば、第２先端と第２基端と第３先端とがＺ軸に平行な一平面に存する。）。これにより第２先端及び第３先端が歯間にそれぞれ進入した際、該歯間に面する歯牙の側面（近心面、遠心面）に第２先端及びその近傍が一層うまく接触することで該側面の歯垢を効果的に除去することができる。
【００１５】
毛束傾斜本ブラシ部においては、Ｚ軸に平行で連結線分を含む平面への第２毛束の長手方向と平行な直線の正投影が、Ｚ軸に対する角度が３〜１０度であってもよい。
第２毛束の第２先端が第３毛束方向に近づくように第２方向が傾斜する角度は、あまり小さいと歯間に進入した第２先端及びその近傍が該歯間に面する歯牙の側面にうまく接触する効果が十分奏されず、あまり大きいと第２先端が歯間にうまく進入できなくなるので、これらを両立する範囲とされることが好ましい。この点からは、Ｚ軸に平行で連結線分を含む平面への第２毛束の長手方向と平行な直線の正投影が、Ｚ軸に対する角度として、好ましくは２度以上、より好ましくは３度以上、最も好ましくは４度以上であり、そして好ましくは１５度以下、より好ましくは１０度以下、最も好ましくは８度以下である。
【００１６】
毛束傾斜本ブラシ部においては、前記連結線分にＸＹ面第３先端足にて直交する直線であるＸＹ面第３先端足直交直線によりＸＹ平面が、ＸＹ面第２先端足が存する一方と、他方と、に分割され、ＸＹ平面に第３基端から下ろした垂線の足であるＸＹ面第３基端足が、該他方に存するもの（以下「両毛束傾斜本ブラシ部」という。）であってもよい。
ＸＹ平面に存するＸＹ面第３先端足直交直線によってＸＹ平面が一方と他方とに分割される。ＸＹ面第３先端足直交直線は、ＸＹ面第３先端足にて連結線分に直交するＸＹ平面に存する直線である。そして、分割された該一方にＸＹ面第２先端足が存すると共に、ＸＹ平面に第３基端から下ろした垂線の足であるＸＹ面第３基端足が該他方に存する。これによりＸＹ面第２先端足が存する該一方とは異なる該他方にＸＹ面第３基端足が存するため、ＸＹ面第２先端足に対してＸＹ面第３先端足よりもＸＹ面第３基端足の方が遠方にあり、第３毛束の第３先端が第２毛束方向に近づくように第３方向が傾斜している。これにより第３先端が歯間に進入した際、該歯間に面する歯牙の側面（近心面、遠心面）に第３先端及びその近傍がうまく接触することで該側面の歯垢を効果的に除去することができる。
このように両毛束傾斜本ブラシ部は、毛束傾斜本ブラシ部における第２毛束の第２先端が第３毛束方向に近づくように第２方向が傾斜すると共に、第３毛束の第３先端が第２毛束方向に近づくように第３方向が傾斜しているので、第２先端及び第３先端が歯間に進入した際、該歯間に面する歯牙の両側面（近心面、遠心面）に第２先端及びその近傍と第３先端及びその近傍とがうまく接触することで両側面の歯垢をさらに効果的に除去することができる。
【００１７】
両毛束傾斜本ブラシ部においては、ＸＹ面第３基端足が、連結線分を含む連結直線に存するものであってもよい。
こうすることで、第３毛束が第２毛束方向に真っ直ぐに近づくよう第３方向が傾斜している（第３毛束が真っ直ぐなものであれば、第３先端と第３基端と第２先端とがＺ軸に平行な一平面に存する。）。これにより第２先端及び第３先端が歯間に進入した際、該歯間に面する歯牙の側面（近心面、遠心面）に第３先端及びその近傍が一層うまく接触することで該側面の歯垢を効果的に除去することができる。
【００１８】
両毛束傾斜本ブラシ部においては、Ｚ軸に平行で連結線分を含む平面への第３毛束の長手方向と平行な直線の正投影が、Ｚ軸に対する角度が３〜１０度であってもよい。
第３毛束の第３先端が第２毛束方向に近づくように第３方向が傾斜する角度は、あまり小さいと歯間に進入した第３先端及びその近傍が該歯間に面する歯牙の側面にうまく接触する効果が十分奏されず、あまり大きいと第３先端が歯間にうまく進入できなくなるので、これらを両立する範囲とされることが好ましい。この点からは、Ｚ軸に平行で連結線分を含む平面への第３毛束の長手方向と平行な直線の正投影が、Ｚ軸に対する角度として、好ましくは２度以上、より好ましくは３度以上、最も好ましくは４度以上であり、そして好ましくは１５度以下、より好ましくは１０度以下、最も好ましくは８度以下である。
【００１９】
本ブラシ部においては、第１毛束が、Ｚ軸に平行な真っ直ぐのものであり、第２毛束と第３毛束とが、Ｚ軸に平行な平面に対して面対称に配設されるものであってもよい。
こうすることで、本ブラシ部が往復運動するＺ軸に平行（第１方向がＺ軸に平行）で真っ直ぐな第１毛束の第１先端が歯牙の表面（唇側、頬側、舌側及び口蓋側の面）に該表面に略垂直方向から接触を繰り返すように本ブラシ部を配置すれば該表面の歯垢をうまく除去できると共に、第２毛束と第３毛束とが、Ｚ軸に平行な平面に対して面対称に配設されることで、両歯間にそれぞれ進入した第２先端及び第３先端が、歯牙の近心面と遠心面（第２先端及び第３先端の一方が近心面に接触し、他方が遠心面に接触する。）とに大きな差がなく接触することにより近心面と遠心面との歯垢をうまく除去することができる。
【００２０】
本ブラシ部においては、２の本ブラシ部を含んでなり、該２のブラシ部のうち一方のブラシ部の第１先端と該２のブラシ部のうち他方のブラシ部の第１先端と、該一方のブラシ部の第２先端と該他方のブラシ部の第２先端と、該一方のブラシ部の第３先端と該他方のブラシ部の第３先端と、のいずれもが、Ｚ軸に平行な平面に対し面対称に存するもの（以下「並列本ブラシ部」という。）であってもよい。
このような並列本ブラシ部では、該一方のブラシ部の第１先端と該他方のブラシ部の第１先端とが歯牙の表面（唇側、頬側、舌側及び口蓋側の面）に縦方向に並んで該表面に略垂直方向から接触し、該一方のブラシ部の第２先端と該他方のブラシ部の第２先端とが歯牙の近心面及び遠心面のいずれか一方に接触すると共に該一方のブラシ部の第３先端と該他方のブラシ部の第３先端とが歯牙の近心面及び遠心面のいずれか他方に接触するようにでき、該表面、近心面及び遠心面のいずれにも２の先端が接触するので、歯牙の歯垢を効果的に除去することができる。
【００２１】
本ブラシ部は、本ブラシ部と、該ブラシ部が着脱自在に取り付けられ該ブラシ部をＺ軸方向に往復運動させる本体部と、を備えてなる電動歯ブラシを構成するのに用いることができる。
かかる電動歯ブラシの使用に伴い、本ブラシ部は劣化（例えば、毛束の損傷や変形等）するので、本ブラシ部は本体部に交換可能に着脱自在に取り付けられることで、本ブラシ部を有する電動歯ブラシを効率的に使用することができる。
【図面の簡単な説明】
【００２２】
【図１】本発明の第１実施形態に係る歯ブラシ（第１歯ブラシ）の平面図である。
【図２】第１歯ブラシを構成するブラシ部の先端部分の拡大図である。
【図３】毛束の拡大端面図である。
【図４】図１のＫ−Ｋ端面図（拡大）である。
【図５】第１歯ブラシの毛束の先端及び基端のＸＹ面への正投影を示す図である。
【図６】本発明の第２実施形態に係る歯ブラシ（第２歯ブラシ）を構成するブラシ部の先端部分の拡大図である。
【図７】図６（ａ）（ｂ）におけるＫ１−Ｋ１拡大端面図である。
【図８】第２歯ブラシの毛束の先端及び基端のＸＹ面への正投影を示す図である。
【図９】本発明の第３実施形態に係る歯ブラシ（第３歯ブラシ）を構成するブラシ部の先端部分の拡大図である。
【図１０】図９（ｂ）におけるＫ３−Ｋ３拡大端面図である。
【図１１】図９（ｂ）におけるＫ４−Ｋ４拡大端面図である。
【図１２】第３歯ブラシの毛束の先端及び基端のＸＹ面への正投影を示す図である。
【図１３】本発明の第４実施形態に係る歯ブラシ（第４歯ブラシ）を構成するブラシ部の先端部分の拡大図である。
【図１４】第４歯ブラシの毛束の先端及び基端のＸＹ面への正投影を示す図である。
【図１５】本発明の第５実施形態に係る歯ブラシ（第５歯ブラシ）を構成するブラシ部の先端部分の拡大図である。
【図１６】平面Ｐｐによって切断した一部省略端面図（図１５（ｂ）中のＫ５−Ｋ５端面図）である。
【図１７】第５歯ブラシの毛束の先端及び基端のＸＹ面への正投影を示す図である。
【図１８】第５歯ブラシの毛束の先端及び基端のＸＹ面への正投影を示す図である。
【図１９】左右の上顎中切歯が模型に装着されている状態を示す拡大図及びそれらの唇面の分割を示す図である。
【図２０】近心面及び遠心面の分割を示す図である。
【図２１】歯垢除去実験の結果を示す図である。
【図２２】毛先到達実験の結果を示す図である。
【発明を実施するための形態】
【００２３】
以下、本発明の実施の形態を図面を参照して説明する。しかしながら、これらによって本発明は何ら制限されるものではない。
【００２４】
（第１実施形態）
図１は、本発明の第１実施形態に係る歯ブラシ（以下「第１歯ブラシ」という。）１１の平面図であり、図２は、第１歯ブラシ１１を構成するブラシ部２１の先端部分の拡大図（図２（ａ）はブラシ部２１の正面図（図１中の矢印Ｃ方向から見たところを示している。）であり、図２（ｂ）はブラシ部２１の平面図（図２（ａ）中の矢印Ａ方向から見たところを示している。）であり、図２（ｃ）はブラシ部２１の右側面図（図２（ａ）中の矢印Ｂ方向から見たところを示している。）である。）であり、図３は毛束の拡大端面図（図３（ａ）は図２（ａ）のＤ−Ｄ端面図であり、図３（ｂ）は図３（ａ）に表れる１本の毛の端面図である。）であり、そして図４は図１のＫ−Ｋ端面図（拡大）である。図１乃至図４を参照して第１歯ブラシ１１について説明する。説明及び理解を容易にするため、互いに直交する３軸であるＸ軸、Ｙ軸及びＺ軸を用いて説明し、これらＸ軸、Ｙ軸及びＺ軸の各方向を図中に「Ｘ」、「Ｙ」及び「Ｚ」の矢印として示す（また、図中、Ｚ軸に対する毛束の傾斜は、図示及び理解を容易にするため実際の傾斜よりも大きく傾斜させて図示している。他の実施形態においても同じである。）。
【００２５】
第１歯ブラシ１１は、第１歯ブラシ１１の使用者（図示せず）が手で把持する本体部１３と、本体部１３に着脱自在に取り付けられたブラシ部２１と、を備えてなる。
本体部１３は、ブラシ部２１をＺ軸方向に往復動（往復動方向を図２（ａ）中に矢印Ｖとして示す。）させるものであり、交換可能に電池を保持する電池保持部と、ブラシ部２１を着脱自在に取り付けるブラシ部取付部と、ブラシ部取付部をＺ軸方向に往復動させる駆動部と、電池保持部に保持された電池の電気を駆動部に断続するスイッチと、を有している（これら電池保持部、ブラシ部取付部、駆動部及びスイッチのいずれも図示を省略している。）。このような本体部１３は、いわゆる電動歯ブラシの本体部として公知公用のものである。
【００２６】
ブラシ部２１は、本体部１３のブラシ部取付部に基端２１ｅが着脱自在に取り付けられるブラシ部本体２３と、ブラシ部本体２３の先端側に形成された植毛面２４に植毛された第１短毛束２５と、植毛面２４に植毛された第１長毛束２７と、植毛面２４に植毛された第２長毛束２９と、を有してなる。
ブラシ部本体２３は、ブラシ部取付部に基端が着脱自在に取り付けられる軸部２３ａと、軸部２３ａの先端に軸部２３ａと一体に形成されたヘッド部２３ｂと、を含んでなり、ヘッド部２３ｂは、Ｚ軸に垂直な平面に沿った植毛面２４を有している。
植毛面２４は、ここでは長方形（該長方形の２辺はＸ軸に平行で、他の２辺はＹ軸に平行である。）を略なしており、該長方形の角を挟む両辺の長さは特に制限されないが、ここでは長辺１０．５ｍｍ×短辺４．５ｍｍ（いずれも４ｍｍ〜１５ｍｍとしてもよい。）とされている。
【００２７】
第１短毛束２５、第１長毛束２７及び第２長毛束２９のいずれの毛束も、図３に示すように（図３は第１短毛束２５の端面を示すものであるが、第１長毛束２７及び第２長毛束２９もこれと同様である。）複数の細い毛２６が束ねられて形成されており、この毛２６は、材質ポリアミドにより形成され、毛２６の長手方向に対して垂直ないずれの平面による端面形状（図３も、このような一平面による端面を示している。）もほぼ同一の円（特に図３（ｂ）参照）をなしている。該円の直径Ｅは特に限定されるものではないが、ここでは約０．１２７ｍｍ（例えば０．０７０ｍｍ〜０．１５３ｍｍ程度のものを好適に用いることができる。）とされている。そして、第１短毛束２５、第１長毛束２７及び第２長毛束２９のいずれの毛束も、毛２６の長手方向が平行になるように複数のこのような毛２６が円Ｆ（図３（ａ）参照。ここの円Ｆは仮想上の円である。）中に密に配置されて形成されている。このような円Ｆの直径は特に限定されるものではないが、ここでは約１．５ｍｍ（例えば１．４ｍｍ〜２．０ｍｍ程度のものを好適に用いることができる。）とされている。このような毛束は、通常、８０本〜１２０本の毛２６を束ねて構成される。
【００２８】
第１短毛束２５の長手方向Ｌ１と、第１長毛束２７の長手方向Ｌ２と、第２長毛束２９の長手方向Ｌ３と、は同一のＸＺ面Ｐ１（Ｙ軸に垂直な平面）に存在し（図４は面Ｐ１による端面を示している）、第１短毛束２５の長手方向Ｌ１はＺ軸に平行である。第１短毛束２５の長手方向Ｌ１、第１長毛束２７の長手方向Ｌ２及び第２長毛束２９の長手方向Ｌ３のいずれの長手方向Ｌ１、Ｌ２、Ｌ３も、各毛束をＸＹ面（Ｚ軸に垂直な平面）により切断した端面において各毛の端面に一様な質量が存在すると仮定した場合の重心を考え、Ｚ軸位置が異なるＸＹ面における該重心を結んだ方向としている。
第１短毛束２５の先端２５ａと基端２５ｂ（植毛面２４側）との間の長さＮ１は約８ｍｍ（例えば３ｍｍ〜１０ｍｍとされてもよい。）とされている。第１長毛束２７の基端２７ｂ（植毛面２４側）よりも先端２７ａはＸ軸方向に関して第１短毛束２５側に存在するよう第１長毛束２７の長手方向Ｌ２はＺ軸に対して傾斜している。Ｚ軸と長手方向Ｌ２とがなす角度Ｑ１（該角度は、Ｚ軸に平行な直線と長手方向Ｌ２に平行な直線とのいずれか一方を他方に交わるように平行移動させ、該交わる両直線がなす角度のうち０〜９０度のものをいう。）は約５度（例えば３〜１０度とされてもよい。）とされている。基端２７ｂと先端２７ａとの間の長さＮ２は約１０ｍｍ（例えば８ｍｍ〜１１ｍｍとされてもよい。）とされている。そして、第２長毛束２９の基端２９ｂ（植毛面２４側）よりも先端２９ａはＸ軸方向に関して第１短毛束２５側に存在するよう第２長毛束２９の長手方向Ｌ３はＺ軸に対して傾斜している。Ｚ軸と長手方向Ｌ３とがなす角度Ｑ２（該角度は、Ｚ軸に平行な直線と長手方向Ｌ３に平行な直線とのいずれか一方を他方に交わるように平行移動させ、該交わる両直線がなす角度のうち０〜９０度のものをいう。）は約５度（例えば３〜１０度とされてもよい。）とされている。基端２９ｂと先端２９ａとの間の長さＮ３は約１０ｍｍ（例えば８ｍｍ〜１１ｍｍとされてもよい。）とされている。
先端２７ａ及び先端２９ａは、同一のＸＹ面Ｐ２（Ｚ軸に垂直な平面）に存在し、先端２５ａはＸＹ面Ｐ３（Ｚ軸に垂直な平面）に存在している（特に図２（ａ）及び図４参照）。面Ｐ２と面Ｐ３との間の距離Ｎ４は約２ｍｍ（例えば１．０ｍｍ〜３．０ｍｍ程度とされてもよい。）とされている。
【００２９】
図５は、ＸＹ面（Ｚ軸に垂直な平面）への先端２５ａの正投影２５ｒ、該ＸＹ面への先端２７ａの正投影２７ａｒ、該ＸＹ面への先端２９ａの正投影２９ａｒ、該ＸＹ面への基端２７ｂの正投影２７ｂｒ、該ＸＹ面への基端２９ｂの正投影２９ｂｒを示す図である（図示を容易にするため、１本の毛の正投影を点にて示している。）。そして、これら正投影２５ｒ、２７ａｒ、２９ａｒ、２７ｂｒ、２９ｂｒの重心（各毛の正投影の単位面積に同じ質量が存在すると仮定した場合の重心）をそれぞれＳ２５、Ｓ２７ａ、Ｓ２９ａ、Ｓ２７ｂ、Ｓ２９ｂとする。なお、基端２５ｂの該ＸＹ面への正投影の重心は、先端２５ａの該ＸＹ面への正投影２５ｒの重心と略一致する。
Ｓ２５とＳ２７ｂとの距離Ｎ５は約３．０ｍｍ（例えば３．０ｍｍ〜５．０ｍｍ程度とされてもよい。）とされており、Ｓ２５とＳ２９ｂとの距離Ｎ６は約３．０ｍｍ（例えば３．０ｍｍ〜５．０ｍｍ程度とされてもよい。）とされている。そして、Ｓ２５とＳ２７ａとの距離Ｎ７は約２．０ｍｍ（例えば１．５ｍｍ〜２．５ｍｍ程度とされてもよい。）とされ、Ｓ２５とＳ２９ａとの距離Ｎ８は約２．０ｍｍ（例えば１．５ｍｍ〜２．５ｍｍ程度とされてもよい。）とされている。
【００３０】
第１歯ブラシ１１においては、Ｓ２５（基端２５ｂの該ＸＹ面への正投影の重心を含む）、Ｓ２７ａ、Ｓ２９ａ、Ｓ２７ｂ、Ｓ２９ｂは、前記ＸＹ面に存する直線Ｕ１（Ｘ軸に平行）上に存する。
このため先端２５ａよりも高い位置に存する先端２７ａ、２９ａに係る重心Ｓ２７ａ、Ｓ２９ａを結ぶＸＹ面上の線分（直線Ｕ１の一部）を基準線分とすると、Ｓ２７ａにおいて基準線分と角度Ｑ５（ここでは２２．５度）をなす両直線Ｕ１１、Ｕ１２と、Ｓ２９ａにおいて基準線分と角度Ｑ５（ここでは２２．５度）をなす両直線Ｕ２１、Ｕ２２と、の４本の直線Ｕ１１、Ｕ１２、Ｕ２１、Ｕ２２によって取り囲まれる四角形の内部にＳ２５が含まれる。また、重心Ｓ２７ａ、Ｓ２９ａを結ぶ基準線分の中点にＳ２５がほぼ位置している。
【００３１】
以上説明の通り、第１歯ブラシ１１のブラシ部２１は、Ｚ軸方向に往復運動（矢印Ｖ方向に往復運動）する電動歯ブラシ（第１歯ブラシ１１）のブラシ部であって、第１基端（基端２５ｂ）が支持され、Ｚ軸に平行な両方向のうち一方向（ここでは図２（ａ）（ｃ）及び図４において上方向）への成分を有する第１方向（長手方向Ｌ１に沿って図４で上方向）に向けて第１先端（先端２５ａ）が突出するように配設された第１毛束（第１短毛束２５）と、第２基端（基端２７ｂ）が支持され、該一方向（図２（ａ）（ｃ）及び図４において上方向）への成分を有する第２方向（長手方向Ｌ２に沿って図４で上方向）に向けて第２先端（先端２７ａ）が突出するように配設された第２毛束（第１長毛束２７）と、第３基端（基端２９ｂ）が支持され、該一方向（図２（ａ）（ｃ）及び図４において上方向）への成分を有する第３方向（長手方向Ｌ３に沿って図４で上方向）に向けて第３先端（先端２９ａ）が突出するように配設された第３毛束（第２長毛束２９）と、を備えてなり、Ｚ軸に第２先端（先端２７ａ）から下ろした垂線の足であるＺ軸第２先端足（ＸＹ面Ｐ２とＺ軸との交点）と、Ｚ軸に第３先端（先端２９ａ）から下ろした垂線の足であるＺ軸第３先端足（ＸＹ面Ｐ２とＺ軸との交点）と、のいずれも、Ｚ軸に第１先端（先端２５ａ）から下ろした垂線の足であるＺ軸第１先端足（ＸＹ面Ｐ３とＺ軸との交点）よりも該一方向（図２（ａ）（ｃ）及び図４において上方向）側に位置すると共に、Ｚ軸に垂直なＸＹ平面（図５が示す面）に第２先端（先端２７ａ）から下ろした垂線の足であるＸＹ面第２先端足（重心Ｓ２７ａ）と、ＸＹ平面（図５）に第３先端（先端２９ａ）から下ろした垂線の足であるＸＹ面第３先端足（重心Ｓ２９ａ）と、を結ぶ線分である連結線分（直線Ｕ１のうち重心Ｓ２７ａ、Ｓ２９ａとの間に存する部分）を含む連結直線（直線Ｕ１）に、ＸＹ平面（図５）に第１先端（先端２５ａ）から下ろした垂線の足であるＸＹ面第１先端足（重心Ｓ２５）から垂線を下ろした位置足がＸＹ面第２先端足とＸＹ面第３先端足との間の連結線分に含まれるか、又はＸＹ面第１先端足（重心Ｓ２５）が連結線分（直線Ｕ１のうち重心Ｓ２７ａ、Ｓ２９ａとの間に存する部分）に含まれるものである、ブラシ部（ここではＸＹ面第１先端足（重心Ｓ２５）が連結線分（直線Ｕ１のうち重心Ｓ２７ａ、Ｓ２９ａとの間に存する部分）に含まれる）である。
【００３２】
第１歯ブラシ１１のブラシ部２１においては、ＸＹ面第２先端足（重心Ｓ２７ａ）とＸＹ面第３先端足（重心Ｓ２９ａ）とに一対の対角が存しＸＹ平面に存する菱形（４本の直線Ｕ１１、Ｕ１２、Ｕ２１、Ｕ２２によって取り囲まれる四角形たる菱形）の内部に、ＸＹ面第１先端足（重心Ｓ２５）が存するものである。
第１歯ブラシ１１のブラシ部２１においては、前記対角は４５度（２×角度Ｑ５）である。
第１歯ブラシ１１のブラシ部２１においては、Ｚ軸第２先端足（ＸＹ面Ｐ２とＺ軸との交点）とＺ軸第３先端足（ＸＹ面Ｐ２とＺ軸との交点）とが一致するものである。
第１歯ブラシ１１のブラシ部２１においては、Ｚ軸第２先端足（ＸＹ面Ｐ２とＺ軸との交点）とＺ軸第１先端足（ＸＹ面Ｐ３とＺ軸との交点）との間の距離（距離Ｎ４＝約２ｍｍ）と、Ｚ軸第３先端足（ＸＹ面Ｐ２とＺ軸との交点）とＺ軸第１先端足（ＸＹ面Ｐ３とＺ軸との交点）との間の距離（距離Ｎ４＝約２ｍｍ）と、のいずれもが１．０ｍｍ〜３．０ｍｍである。
第１歯ブラシ１１のブラシ部２１においては、前記位置足、又はＸＹ面第１先端足（重心Ｓ２５）が連結線分（直線Ｕ１のうち重心Ｓ２７ａ、Ｓ２９ａとの間に存する部分）に含まれる場合のＸＹ面第１先端足（重心Ｓ２５）と、連結線分（直線Ｕ１のうち重心Ｓ２７ａ、Ｓ２９ａとの間に存する部分）の中点と、の間の距離ｄ１（ここではＸＹ面第１先端足（重心Ｓ２５）が連結線分の中点に位置するので、ｄ１＝０）を連結線分の長さｄ０で除した値（ｄ１／ｄ０）が０（０〜１／３）である。
【００３３】
第１歯ブラシ１１のブラシ部２１においては、前記連結線分（直線Ｕ１のうち重心Ｓ２７ａ、Ｓ２９ａとの間に存する部分）にＸＹ面第２先端足（重心Ｓ２７ａ）にて直交する直線であるＸＹ面第２先端足直交直線Ｕｔ１によりＸＹ平面が、ＸＹ面第３先端足（重心Ｓ２９ａ）が存する一方Ｍ１と、他方Ｍ２と、に分割され、ＸＹ平面に第２基端（基端２７ｂ）から下ろした垂線の足であるＸＹ面第２基端足（重心Ｓ２７ｂ）が、該他方Ｍ２に存するものである。
第１歯ブラシ１１のブラシ部２１においては、ＸＹ面第２基端足（重心Ｓ２７ｂ）が、連結線分（直線Ｕ１のうち重心Ｓ２７ａ、Ｓ２９ａとの間に存する部分）を含む連結直線（直線Ｕ１）に存するものである。
第１歯ブラシ１１のブラシ部２１においては、Ｚ軸に平行で連結線分（直線Ｕ１のうち重心Ｓ２７ａ、Ｓ２９ａとの間に存する部分）を含む平面（図４が示している面Ｐ１）への第２毛束（第１長毛束２７）の長手方向Ｌ２と平行な直線の正投影が、Ｚ軸に対する角度Ｑ１が５度（３〜１０度）である。
【００３４】
第１歯ブラシ１１のブラシ部２１においては、前記連結線分（直線Ｕ１のうち重心Ｓ２７ａ、Ｓ２９ａとの間に存する部分）にＸＹ面第３先端足（重心Ｓ２９ａ）にて直交する直線であるＸＹ面第３先端足直交直線Ｕｔ２によりＸＹ平面が、ＸＹ面第２先端足（重心Ｓ２７ａ）が存する一方Ｍ３と、他方Ｍ４と、に分割され、ＸＹ平面に第３基端（基端２９ｂ）から下ろした垂線の足であるＸＹ面第３基端足（重心Ｓ２９ｂ）が、該他方Ｍ４に存するものである。
第１歯ブラシ１１のブラシ部２１においては、ＸＹ面第３基端足（重心Ｓ２９ｂ）が、連結線分（直線Ｕ１のうち重心Ｓ２７ａ、Ｓ２９ａとの間に存する部分）を含む連結直線（直線Ｕ１）に存するものである。
第１歯ブラシ１１のブラシ部２１においては、Ｚ軸に平行で連結線分（直線Ｕ１のうち重心Ｓ２７ａ、Ｓ２９ａとの間に存する部分）を含む平面（図４が示している面Ｐ１）への第３毛束（第２長毛束２９）の長手方向Ｌ３と平行な直線の正投影が、Ｚ軸に対する角度Ｑ２が５度（３〜１０度）である。
【００３５】
第１歯ブラシ１１のブラシ部２１においては、第１毛束（第１短毛束２５）が、Ｚ軸に平行な真っ直ぐのものであり、第２毛束（第１長毛束２７）と第３毛束（第２長毛束２９）とが、Ｚ軸に平行な平面（ここでは連結線分に対して垂直な平面であって、連結線分の中点にて連結線分と交わる平面）に対して面対称に配設されるものである。
第１歯ブラシ１１のブラシ部２１は、ブラシ部２１と、該ブラシ部２１が着脱自在に取り付けられ該ブラシ部２１をＺ軸方向に往復運動させる本体部１３と、を備えてなる電動歯ブラシ（第１歯ブラシ１１）を構成している。
【００３６】
（第２実施形態）
図６は、本発明の第２実施形態に係る歯ブラシ（以下「第２歯ブラシ」という。）を構成するブラシ部２２１の先端部分の拡大図であり、詳細には、図６（ａ）はブラシ部２２１の正面図（第１歯ブラシ１１の図２（ａ）と同様の方向から見たところを示している。）であり、図６（ｂ）はブラシ部２２１の平面図（図６（ａ）中の矢印Ａ方向から見たところを示している。）であり、図６（ｃ）はブラシ部２２１の右側面図（図６（ａ）中の矢印Ｂ方向から見たところを示している。）である。）である。第２歯ブラシは、第１歯ブラシ１１に比しブラシ部２２１が異なるのみであるので（第１歯ブラシ１１の本体部１３と同様の本体部を第２歯ブラシも備えており、該本体部にブラシ部２２１が着脱自在に取り付けられている。）、図６を参照しブラシ部２２１を説明する。また、第１歯ブラシ１１の説明と同様、互いに直交する３軸であるＸ軸、Ｙ軸及びＺ軸を用いて説明し、これらＸ軸、Ｙ軸及びＺ軸の各方向を図中に「Ｘ」、「Ｙ」及び「Ｚ」の矢印として示す。
【００３７】
ブラシ部２２１は、前記本体部によりＺ軸方向に往復動（往復動方向を図６中に矢印Ｖとして示す。）し、前記本体部のブラシ部取付部に基端が着脱自在に取り付けられるブラシ部本体２２３と、ブラシ部本体２２３の先端側に形成された植毛面２２４に植毛された第１短毛束２２５と、植毛面２２４に植毛された第１長毛束２２７と、植毛面２２４に植毛された第２長毛束２２９と、を有してなる。
ブラシ部本体２２３は、前記本体部のブラシ部取付部に基端が着脱自在に取り付けられる軸部２２３ａと、軸部２２３ａの先端に軸部２２３ａと一体に形成されたヘッド部２２３ｂと、を含んでなり、ヘッド部２２３ｂは、Ｚ軸に垂直な平面に沿った植毛面２２４を有している。
植毛面２２４は、ここでは長方形（該長方形の２辺はＸ軸に平行で、他の２辺はＹ軸に平行である。）を略なしており、該長方形の角を挟む両辺の長さは特に制限されないが、ここでは長辺１０．５ｍｍ×短辺４．５ｍｍ（いずれも４ｍｍ〜１５ｍｍとしてもよい。）とされている。
【００３８】
第１短毛束２２５、第１長毛束２２７及び第２長毛束２２９は、第１歯ブラシ１１における第１短毛束２５、第１長毛束２７及び第２長毛束２９と同じものを用いているので、ここでは詳細な説明を省略する。
図７は、図６（ａ）及び図６（ｂ）におけるＫ１−Ｋ１拡大端面図である。図６に加えて図７も参照しつつ、ブラシ部２２１を説明する。
第１短毛束２２５の長手方向Ｌ１と、第１長毛束２２７の長手方向Ｌ２と、第２長毛束２２９の長手方向Ｌ３と、は同一のＹＺ面Ｐ２１（Ｘ軸に垂直な平面）に存在し（図７は面Ｐ２１による端面を示している）、第１短毛束２２５の長手方向Ｌ１はＺ軸に平行になっている。第１短毛束２２５の長手方向Ｌ１、第１長毛束２２７の長手方向Ｌ２及び第２長毛束２２９の長手方向Ｌ３のいずれの長手方向Ｌ１、Ｌ２、Ｌ３も、各毛束をＸＹ面（Ｚ軸に垂直な平面）により切断した端面において各毛の端面に一様な質量が存在すると仮定した場合の重心を考え、Ｚ軸位置が異なるＸＹ面における該重心を結んだ方向としている。
【００３９】
第１短毛束２２５の先端２２５ａと基端２２５ｂ（植毛面２２４側）との間の長さＮ１は第１短毛束２５の長さＮ１と同様である。第１長毛束２２７の基端２２７ｂ（植毛面２２４側）よりも先端２２７ａはＹ軸方向に関して第１短毛束２２５側に存在するよう第１長毛束２２７の長手方向Ｌ２はＺ軸に対して傾斜している。Ｚ軸と長手方向Ｌ２とがなす角度Ｑ１（該角度は、Ｚ軸に平行な直線と長手方向Ｌ２に平行な直線とのいずれか一方を他方に交わるように平行移動させ、該交わる両直線がなす角度のうち０〜９０度のものをいう。）は、約５度（例えば３〜１０度とされてもよい。）とされている。基端２２７ｂと先端２２７ａとの間の長さＮ２は第１長毛束２７の長さＮ２と同様である。そして、第２長毛束２２９の基端２２９ｂ（植毛面２２４側）よりも先端２２９ａはＹ軸方向に関して第１短毛束２２５側に存在するよう第２長毛束２２９の長手方向Ｌ３はＺ軸に対して傾斜している。Ｚ軸と長手方向Ｌ３とがなす角度Ｑ２（該角度は、Ｚ軸に平行な直線と長手方向Ｌ３に平行な直線とのいずれか一方を他方に交わるように平行移動させ、該交わる両直線がなす角度のうち０〜９０度のものをいう。）は約５度（例えば３〜１０度とされてもよい。）とされている。基端２２９ｂと先端２２９ａとの間の長さＮ３は第２長毛束２９の長さＮ３と同様である。
先端２２７ａ及び先端２２９ａは、同一のＸＹ面Ｐ２（Ｚ軸に垂直な平面）に存し、先端２２５ａはＸＹ面Ｐ３（Ｚ軸に垂直な平面）に存在している（特に図６（ｃ）及び図７参照）。面Ｐ２と面Ｐ３との間の距離Ｎ４は約２ｍｍ（例えば１．０ｍｍ〜３．０ｍｍ程度とされてもよい。）とされている。
【００４０】
図８は、ＸＹ面（Ｚ軸に垂直な平面）への先端２２５ａの正投影２２５ｒ、該ＸＹ面への先端２２７ａの正投影２２７ａｒ、該ＸＹ面への先端２２９ａの正投影２２９ａｒ、該ＸＹ面への基端２２７ｂの正投影２２７ｂｒ、該ＸＹ面への基端２２９ｂの正投影２２９ｂｒを示す図である（図示を容易にするため、１本の毛の正投影を点にて示している。）。そして、これら正投影２２５ｒ、２２７ａｒ、２２９ａｒ、２２７ｂｒ、２２９ｂｒの重心（各毛の正投影の単位面積に同じ質量が存在すると仮定した場合の重心）をそれぞれＳ２２５、Ｓ２２７ａ、Ｓ２２９ａ、Ｓ２２７ｂ、Ｓ２２９ｂとする。なお、基端２２５ｂの該ＸＹ面への正投影の重心は、先端２２５ａの該ＸＹ面への正投影の重心Ｓ２２５と略一致する。
Ｓ２２５とＳ２２７ｂとの距離Ｎ５は第１歯ブラシ１１における距離Ｎ５と同様であり、Ｓ２２５とＳ２２９ｂとの距離Ｎ６は第１歯ブラシ１１における距離Ｎ６と同様であり、Ｓ２２５とＳ２２７ａとの距離Ｎ７は第１歯ブラシ１１における距離Ｎ７と同様であり、そしてＳ２２５とＳ２２９ａとの距離Ｎ８は第１歯ブラシ１１における距離Ｎ８と同様である。
【００４１】
第２歯ブラシにおいては、Ｓ２２５（基端２２５ｂの該ＸＹ面への正投影の重心を含む）、Ｓ２２７ａ、Ｓ２２９ａ、Ｓ２２７ｂ、Ｓ２２９ｂは、該ＸＹ面に存する直線Ｕ１上に存する。このため先端２２５ａよりも高い位置に存する先端２２７ａ、２２９ａに係る重心Ｓ２２７ａ、Ｓ２２９ａを結ぶＸＹ面上の線分（直線Ｕ１の一部）を基準線分とすると、Ｓ２２７ａにおいて基準線分と角度Ｑ５（ここでは２２．５度）をなす両直線Ｕ１１、Ｕ１２と、Ｓ２２９ａにおいて基準線分と角度Ｑ５（ここでは２２．５度）をなす両直線Ｕ２１、Ｕ２２と、の４本の直線Ｕ１１、Ｕ１２、Ｕ２１、Ｕ２２によって取り囲まれる四角形の内部にＳ２２５が含まれる。また、重心Ｓ２２７ａ、Ｓ２２９ａを結ぶ基準線分の中点にＳ２２５がほぼ位置している。
【００４２】
以上説明の通り、第２歯ブラシのブラシ部２２１は、Ｚ軸方向に往復運動（矢印Ｖ方向に往復運動）する電動歯ブラシ（第２歯ブラシ）のブラシ部であって、第１基端（基端２２５ｂ）が支持され、Ｚ軸に平行な両方向のうち一方向（ここでは図６（ａ）（ｃ）及び図７において上方向）への成分を有する第１方向（長手方向Ｌ１に沿って図７で上方向）に向けて第１先端（先端２２５ａ）が突出するように配設された第１毛束（第１短毛束２２５）と、第２基端（基端２２７ｂ）が支持され、該一方向（図６（ａ）（ｃ）及び図７において上方向）への成分を有する第２方向（長手方向Ｌ２に沿って図７で上方向）に向けて第２先端（先端２２７ａ）が突出するように配設された第２毛束（第１長毛束２２７）と、第３基端（基端２２９ｂ）が支持され、該一方向（図６（ａ）（ｃ）及び図７において上方向）への成分を有する第３方向（長手方向Ｌ３に沿って図７で上方向）に向けて第３先端（先端２２９ａ）が突出するように配設された第３毛束（第２長毛束２２９）と、を備えてなり、Ｚ軸に第２先端（先端２２７ａ）から下ろした垂線の足であるＺ軸第２先端足（ＸＹ面Ｐ２とＺ軸との交点）と、Ｚ軸に第３先端（先端２２９ａ）から下ろした垂線の足であるＺ軸第３先端足（ＸＹ面Ｐ２とＺ軸との交点）と、のいずれも、Ｚ軸に第１先端（先端２２５ａ）から下ろした垂線の足であるＺ軸第１先端足（ＸＹ面Ｐ３とＺ軸との交点）よりも該一方向（図６（ａ）（ｃ）及び図７において上方向）側に位置すると共に、Ｚ軸に垂直なＸＹ平面（図８が示す面）に第２先端（先端２２７ａ）から下ろした垂線の足であるＸＹ面第２先端足（重心Ｓ２２７ａ）と、ＸＹ平面（図８）に第３先端（先端２２９ａ）から下ろした垂線の足であるＸＹ面第３先端足（重心Ｓ２２９ａ）と、を結ぶ線分である連結線分（直線Ｕ１のうち重心Ｓ２２７ａ、Ｓ２２９ａとの間に存する部分）を含む連結直線（直線Ｕ１）に、ＸＹ平面（図８）に第１先端（先端２２５ａ）から下ろした垂線の足であるＸＹ面第１先端足（重心Ｓ２２５）から垂線を下ろした位置足がＸＹ面第２先端足とＸＹ面第３先端足との間の連結線分に含まれるか、又はＸＹ面第１先端足（重心Ｓ２２５）が連結線分（直線Ｕ１のうち重心Ｓ２２７ａ、Ｓ２２９ａとの間に存する部分）に含まれるものである、ブラシ部（ここではＸＹ面第１先端足（重心Ｓ２２５）が連結線分（直線Ｕ１のうち重心Ｓ２２７ａ、Ｓ２２９ａとの間に存する部分）に含まれる）である。
【００４３】
第２歯ブラシのブラシ部２２１においては、ＸＹ面第２先端足（重心Ｓ２２７ａ）とＸＹ面第３先端足（重心Ｓ２２９ａ）とに一対の対角が存しＸＹ平面に存する菱形（４本の直線Ｕ１１、Ｕ１２、Ｕ２１、Ｕ２２によって取り囲まれる四角形たる菱形）の内部に、ＸＹ面第１先端足（重心Ｓ２２５）が存するものである。
第２歯ブラシのブラシ部２２１においては、前記対角は４５度（２×角度Ｑ５）である。
第２歯ブラシのブラシ部２２１においては、Ｚ軸第２先端足（ＸＹ面Ｐ２とＺ軸との交点）とＺ軸第３先端足（ＸＹ面Ｐ２とＺ軸との交点）とが一致するものである。
第２歯ブラシのブラシ部２２１においては、Ｚ軸第２先端足（ＸＹ面Ｐ２とＺ軸との交点）とＺ軸第１先端足（ＸＹ面Ｐ３とＺ軸との交点）との間の距離（距離Ｎ４＝約２ｍｍ）と、Ｚ軸第３先端足（ＸＹ面Ｐ２とＺ軸との交点）とＺ軸第１先端足（ＸＹ面Ｐ３とＺ軸との交点）との間の距離（距離Ｎ４＝約２ｍｍ）と、のいずれもが１．０ｍｍ〜３．０ｍｍである。
第２歯ブラシのブラシ部２２１においては、前記位置足、又はＸＹ面第１先端足（重心Ｓ２２５）が連結線分（直線Ｕ１のうち重心Ｓ２２７ａ、Ｓ２２９ａとの間に存する部分）に含まれる場合のＸＹ面第１先端足（重心Ｓ２２５）と、連結線分（直線Ｕ１のうち重心Ｓ２２７ａ、Ｓ２２９ａとの間に存する部分）の中点と、の間の距離ｄ１（ここではＸＹ面第１先端足（重心Ｓ２２５）が連結線分の中点に位置するので、ｄ１＝０）を連結線分の長さｄ０で除した値（ｄ１／ｄ０）が０（０〜１／３）である。
【００４４】
第２歯ブラシのブラシ部２２１においては、前記連結線分（直線Ｕ１のうち重心Ｓ２２７ａ、Ｓ２２９ａとの間に存する部分）にＸＹ面第２先端足（重心Ｓ２２７ａ）にて直交する直線であるＸＹ面第２先端足直交直線Ｕｔ１によりＸＹ平面が、ＸＹ面第３先端足（重心Ｓ２２９ａ）が存する一方Ｍ１と、他方Ｍ２と、に分割され、ＸＹ平面に第２基端（基端２２７ｂ）から下ろした垂線の足であるＸＹ面第２基端足（重心Ｓ２２７ｂ）が、該他方Ｍ２に存するものである。
第２歯ブラシのブラシ部２２１においては、ＸＹ面第２基端足（重心Ｓ２２７ｂ）が、連結線分（直線Ｕ１のうち重心Ｓ２２７ａ、Ｓ２２９ａとの間に存する部分）を含む連結直線（直線Ｕ１）に存するものである。
第２歯ブラシのブラシ部２２１においては、Ｚ軸に平行で連結線分（直線Ｕ１のうち重心Ｓ２２７ａ、Ｓ２２９ａとの間に存する部分）を含む平面（図７が示している面Ｐ２１）への第２毛束（第１長毛束２２７）の長手方向Ｌ２と平行な直線の正投影が、Ｚ軸に対する角度Ｑ１が５度（３〜１０度）である。
【００４５】
第２歯ブラシのブラシ部２２１においては、前記連結線分（直線Ｕ１のうち重心Ｓ２２７ａ、Ｓ２２９ａとの間に存する部分）にＸＹ面第３先端足（重心Ｓ２２９ａ）にて直交する直線であるＸＹ面第３先端足直交直線Ｕｔ２によりＸＹ平面が、ＸＹ面第２先端足（重心Ｓ２２７ａ）が存する一方Ｍ３と、他方Ｍ４と、に分割され、ＸＹ平面に第３基端（基端２２９ｂ）から下ろした垂線の足であるＸＹ面第３基端足（重心Ｓ２２９ｂ）が、該他方Ｍ４に存するものである。
第２歯ブラシのブラシ部２２１においては、ＸＹ面第３基端足（重心Ｓ２２９ｂ）が、連結線分（直線Ｕ１のうち重心Ｓ２２７ａ、Ｓ２２９ａとの間に存する部分）を含む連結直線（直線Ｕ１）に存するものである。
第２歯ブラシのブラシ部２２１においては、Ｚ軸に平行で連結線分（直線Ｕ１のうち重心Ｓ２２７ａ、Ｓ２２９ａとの間に存する部分）を含む平面（図７が示している面Ｐ２１）への第３毛束（第２長毛束２２９）の長手方向Ｌ３と平行な直線の正投影が、Ｚ軸に対する角度Ｑ２が５度（３〜１０度）である。
【００４６】
第２歯ブラシのブラシ部２２１においては、第１毛束（第１短毛束２２５）が、Ｚ軸に平行な真っ直ぐのものであり、第２毛束（第１長毛束２２７）と第３毛束（第２長毛束２２９）とが、Ｚ軸に平行な平面（ここでは連結線分に対して垂直な平面であって、連結線分の中点にて連結線分と交わる平面）に対して面対称に配設されるものである。
第２歯ブラシのブラシ部２２１は、ブラシ部２２１と、該ブラシ部２２１が着脱自在に取り付けられ該ブラシ部２２１をＺ軸方向に往復運動させる本体部１３と、を備えてなる電動歯ブラシ（第２歯ブラシ）を構成している。
【００４７】
（第３実施形態）
図９は、本発明の第３実施形態に係る歯ブラシ（以下「第３歯ブラシ」という。）を構成するブラシ部３２１の先端部分の拡大図であり、詳細には、図９（ａ）はブラシ部３２１の正面図（第１歯ブラシ１１の図２（ａ）と同様の方向から見たところを示している。）であり、図９（ｂ）はブラシ部３２１の平面図（図９（ａ）中の矢印Ａ方向から見たところを示している。）であり、図９（ｃ）はブラシ部３２１の右側面図（図９（ａ）中の矢印Ｂ方向から見たところを示している。）である。）である。第３歯ブラシは、第１歯ブラシ１１に比しブラシ部３２１が異なるのみであるので（第１歯ブラシ１１の本体部１３と同様の本体部を第３歯ブラシも備えており、該本体部にブラシ部３２１が着脱自在に取り付けられている。）、図９を参照しブラシ部３２１を説明する。また、第１歯ブラシ１１の説明と同様、互いに直交する３軸であるＸ軸、Ｙ軸及びＺ軸を用いて説明し、これらＸ軸、Ｙ軸及びＺ軸の各方向を図中に「Ｘ」、「Ｙ」及び「Ｚ」の矢印として示す。
【００４８】
ブラシ部３２１は、第１歯ブラシ１１が有する本体部１３と同様の本体部のブラシ部取付部に基端が着脱自在に取り付けられるブラシ部本体３２３と、ブラシ部本体３２３の先端側に形成された植毛面３２４に植毛された第１短毛束２５と、植毛面３２４に植毛された第１長毛束２７と、植毛面３２４に植毛された第２長毛束２９と、植毛面３２４に植毛された第３長毛束３２７と、植毛面３２４に植毛された第４長毛束３２９と、を有してなる。ブラシ部本体３２３は、本体部のブラシ部取付部に基端が着脱自在に取り付けられる軸部３２３ａと、軸部３２３ａの先端に軸部３２３ａと一体に形成されたヘッド部３２３ｂと、を含んでなり、ヘッド部３２３ｂは、Ｚ軸に垂直な平面に沿った植毛面３２４を有している。
ブラシ部３２１は、第１歯ブラシ１１のブラシ部２１に比し、第３長毛束３２７及び第４長毛束３２９と、これら第３長毛束３２７及び第４長毛束３２９を支持する張り出し部３２３ｂａ１、３２３ｂａ２（張り出し部３２３ｂａ１、３２３ｂａ２の植毛面３２４ｂａ１、３２４ｂａ２に第３長毛束３２７及び第４長毛束３２９がそれぞれ植設されている。）と、を有することが異なるのみであるので、第１歯ブラシ１１のブラシ部２１が有する構成要素と同様の構成要素にはブラシ部２１にて付与した参照番号と同じ参照番号を付与し、詳しい説明を省略する。
植毛面３２４は、ここでは長方形（第１歯ブラシ１１のブラシ部２１の植毛面２４と同様）の長辺中心位置に一対の小さな長方形（植毛面３２４ｂａ１、３２４ｂａ２）が加えられた形状（十文字形状）を有しているが、植毛面３２４全体としてＸ方向及びＹ方向の寸法は特に制限されないが、ここでは（Ｘ軸方向）約１０．５ｍｍ×（Ｙ軸方向）約１０．５ｍｍ（いずれも１０ｍｍ〜１５ｍｍとしてもよい。）とされている。
【００４９】
第３歯ブラシの第１短毛束２５は第１歯ブラシ１１の第１短毛束２５と同様のものであり、第３歯ブラシの第１長毛束２７、第２長毛束２９、第３長毛束３２７及び第４長毛束３２９は、第１歯ブラシ１１における第１長毛束２７及び第２長毛束２９と同じものを用いているので、ここではこれらに関する詳細な説明を省略する。
図１０は図９（ｂ）におけるＫ３−Ｋ３拡大端面図（Ｙ軸に垂直な平面による端面）であり、図１１は図９（ｂ）におけるＫ４−Ｋ４拡大端面図（Ｘ軸に垂直な平面による端面）である。図９に加えて図１０及び図１１を参照しつつ、ブラシ部３２１を説明する。
第１短毛束２５の長手方向Ｌ１と、第１長毛束２７の長手方向Ｌ２と、第２長毛束２９の長手方向Ｌ３と、は同一のＸＺ面Ｐ３１（Ｙ軸に垂直な平面）に存在し（図１０は面Ｐ３１による端面を示している）、第１短毛束２５の長手方向Ｌ１はＺ軸に平行になっている。
第１短毛束２５の長手方向Ｌ１と、第３長毛束３２７の長手方向Ｌ４と、第４長毛束３２９の長手方向Ｌ５と、は同一のＹＺ面Ｐ３２（Ｘ軸に垂直な平面）に存在している（図１１は面Ｐ３２による端面を示している）。
【００５０】
第１短毛束２５の先端２５ａと基端２５ｂ（植毛面３２４側）との間の長さＮ１は第１短毛束２５の長さＮ１と同様である。第１長毛束２７の基端２７ｂ（植毛面３２４側）よりも先端２７ａはＸ軸方向に関して第１短毛束２５側に存在するよう第１長毛束２７の長手方向Ｌ２はＺ軸に対して傾斜している。Ｚ軸と長手方向Ｌ２とがなす角度Ｑ１は約５度（例えば３〜１０度とされてもよい。）とされている。基端２７ｂと先端２７ａとの間の長さＮ２は第１歯ブラシ１１の第１長毛束２７の長さＮ２と同様である。そして、第２長毛束２９の基端２９ｂ（植毛面３２４側）よりも先端２９ａはＸ軸方向に関して第１短毛束２５側に存在するよう第２長毛束２９の長手方向Ｌ３はＺ軸に対して傾斜している。Ｚ軸と長手方向Ｌ３とがなす角度Ｑ２は約５度（例えば３〜１０度とされてもよい。）とされている。基端２９ｂと先端２９ａとの間の長さＮ３は第１歯ブラシ１１の第１長毛束２７の長さＮ３と同様である。
【００５１】
第３長毛束３２７の基端３２７ｂ（植毛面３２４側）よりも先端３２７ａはＹ軸方向に関して第１短毛束２５側に存在するよう第３長毛束３２７の長手方向Ｌ４はＺ軸に対して傾斜している。Ｚ軸と長手方向Ｌ４とがなす角度Ｑ３は約５度（例えば３〜１０度とされてもよい。）とされている。基端３２７ｂと先端３２７ａとの間の長さＮ３３は上記のＮ２及びＮ３と同様である。そして、第４長毛束３２９の基端３２９ｂ（植毛面３２４側）よりも先端３２９ａはＹ軸方向に関して第１短毛束２５側に存在するよう第４長毛束３２９の長手方向Ｌ５はＺ軸に対して傾斜している。Ｚ軸と長手方向Ｌ５とがなす角度Ｑ４は約５度（例えば３〜１０度とされてもよい。）とされている。基端３２９ｂと先端３２９ａとの間の長さＮ３４は上記のＮ２及びＮ３と同様である。
【００５２】
先端２７ａ、先端２９ａ及び先端２５ａは同一のＸＺ面Ｐ３１（Ｙ軸に垂直な平面）に存し、先端３２７ａ、先端３２９ａ及び先端２５ａは同一のＹＺ面Ｐ３２（Ｘ軸に垂直な平面）に存する。
先端２７ａ、先端２９ａ、先端３２７ａ及び先端３２９ａは、同一のＸＹ面Ｐ２（Ｚ軸に垂直な平面）に存在し、先端２５ａはＸＹ面Ｐ３（Ｚ軸に垂直な平面）に存在している（特に図１０及び図１１参照）。面Ｐ２と面Ｐ３との間の距離Ｎ４は約２ｍｍ（例えば１．０ｍｍ〜３．０ｍｍ程度とされてもよい。）とされている。
【００５３】
図１２は、ＸＹ面（Ｚ軸に垂直な平面）への先端２５ａの正投影２５ｒ、該ＸＹ面への先端２７ａの正投影２７ａｒ、該ＸＹ面への先端２９ａの正投影２９ａｒ、該ＸＹ面への先端３２７ａの正投影３２７ａｒ、該ＸＹ面への先端３２９ａの正投影３２９ａｒ、該ＸＹ面への基端２７ｂの正投影２７ｂｒ、該ＸＹ面への基端２９ｂの正投影２９ｂｒ、該ＸＹ面への基端３２７ｂの正投影３２７ｂｒ、該ＸＹ面への基端３２９ｂの正投影３２９ｂｒを示す図である（図示を容易にするため、１本の毛の正投影を点にて示している。）。そして、これら正投影２５ｒ、２７ａｒ、２９ａｒ、３２７ａｒ、３２９ａｒ、２７ｂｒ、２９ｂｒ、３２７ｂｒ、３２９ｂｒの重心（各毛の正投影の単位面積に同じ質量が存在すると仮定した場合の重心）をそれぞれＳ２５、Ｓ２７ａ、Ｓ２９ａ、Ｓ３２７ａ、Ｓ３２９ａ、Ｓ２７ｂ、Ｓ２９ｂ、Ｓ３２７ｂ、Ｓ３２９ｂとする。なお、基端２５ｂの該ＸＹ面への正投影の重心は、先端２５ａの該ＸＹ面への正投影の重心Ｓ２５と略一致する。
Ｓ２５とＳ２７ｂとの距離Ｎ５、Ｓ２５とＳ２９ｂとの距離Ｎ６、Ｓ２５とＳ２７ａとの距離Ｎ７及びＳ２５とＳ２９ａとの距離Ｎ８は、いずれも第１歯ブラシ１１におけるＮ５、Ｎ６、Ｎ７及びＮ８と同様である。
Ｓ２５とＳ３２７ｂとの距離Ｎ５、Ｓ２５とＳ３２９ｂとの距離Ｎ６、Ｓ２５とＳ３２７ａとの距離Ｎ７及びＳ２５とＳ３２９ａとの距離Ｎ８は、いずれも第１歯ブラシ１１におけるＮ５、Ｎ６、Ｎ７及びＮ８と同様である。
【００５４】
第３歯ブラシにおいては、Ｓ２５（基端２５ｂの該ＸＹ面への正投影の重心を含む）、Ｓ２７ａ、Ｓ２９ａ、Ｓ２７ｂ、Ｓ２９ｂは、該ＸＹ面に存する直線Ｕ３（Ｘ軸に平行）上に存する。このため先端２５ａよりも高い位置に存する先端２７ａ、２９ａに係る重心Ｓ２７ａ、Ｓ２９ａを結ぶＸＹ面上の線分（直線Ｕ３の一部）を基準線分とすると、Ｓ２７ａにおいて基準線分と角度Ｑ６（ここでは２２．５度）をなす両直線Ｕ３１、Ｕ３２と、Ｓ２９ａにおいて基準線分と角度Ｑ６（ここでは２２．５度）をなす両直線Ｕ３３、Ｕ３４と、の４本の直線Ｕ３１、Ｕ３２、Ｕ３３、Ｕ３４によって取り囲まれる四角形の内部にＳ２５が含まれる。また、Ｓ２７ａ、Ｓ２９ａを結ぶ基準線分の中点にＳ２５がほぼ位置している。
Ｓ２５（基端２５ｂの該ＸＹ面への正投影の重心を含む）、Ｓ３２７ａ、Ｓ３２９ａ、Ｓ３２７ｂ、Ｓ３２９ｂは、該ＸＹ面に存する直線Ｕ４（Ｙ軸に平行）上に存する（直線Ｕ３と直線Ｕ４とは直交する。）。このため先端２５ａよりも高い位置に存する先端３２７ａ、３２９ａに係る重心Ｓ３２７ａ、Ｓ３２９ａを結ぶＸＹ面上の線分（直線Ｕ４の一部）を基準線分とすると、Ｓ３２７ａにおいて基準線分と角度Ｑ７（ここでは２２．５度）をなす両直線Ｕ４１、Ｕ４２と、Ｓ３２９ａにおいて基準線分と角度Ｑ７（ここでは２２．５度）をなす両直線Ｕ４３、Ｕ４４と、の４本の直線Ｕ４１、Ｕ４２、Ｕ４３、Ｕ４４によって取り囲まれる四角形の内部にＳ２５が含まれる。また、Ｓ３２７ａ、Ｓ３２９ａを結ぶ基準線分の中点にＳ２５がほぼ位置している。
【００５５】
以上説明の通り、第３歯ブラシのブラシ部３２１は、Ｚ軸方向に往復運動（矢印Ｖ方向に往復運動）する電動歯ブラシ（第３歯ブラシ）のブラシ部であって、第１基端（基端２５ｂ）が支持され、Ｚ軸に平行な両方向のうち一方向（ここでは図９（ａ）（ｃ）及び図１０において上方向）への成分を有する第１方向（長手方向Ｌ１に沿って図１０で上方向）に向けて第１先端（先端２５ａ）が突出するように配設された第１毛束（第１短毛束２５）と、第２基端（基端２７ｂ）が支持され、該一方向（図９（ａ）（ｃ）及び図１０において上方向）への成分を有する第２方向（長手方向Ｌ２に沿って図１０で上方向）に向けて第２先端（先端２７ａ）が突出するように配設された第２毛束（第１長毛束２７）と、第３基端（基端２９ｂ）が支持され、該一方向（図９（ａ）（ｃ）及び図１０において上方向）への成分を有する第３方向（長手方向Ｌ３に沿って図１０で上方向）に向けて第３先端（先端２９ａ）が突出するように配設された第３毛束（第２長毛束２９）と、を備えてなり、Ｚ軸に第２先端（先端２７ａ）から下ろした垂線の足であるＺ軸第２先端足（ＸＹ面Ｐ２とＺ軸との交点）と、Ｚ軸に第３先端（先端２９ａ）から下ろした垂線の足であるＺ軸第３先端足（ＸＹ面Ｐ２とＺ軸との交点）と、のいずれも、Ｚ軸に第１先端（先端２５ａ）から下ろした垂線の足であるＺ軸第１先端足（ＸＹ面Ｐ３とＺ軸との交点）よりも該一方向（図９（ａ）（ｃ）及び図１０において上方向）側に位置すると共に、Ｚ軸に垂直なＸＹ平面（図１２が示す面）に第２先端（先端２７ａ）から下ろした垂線の足であるＸＹ面第２先端足（重心Ｓ２７ａ）と、ＸＹ平面（図１２）に第３先端（先端２９ａ）から下ろした垂線の足であるＸＹ面第３先端足（重心Ｓ２９ａ）と、を結ぶ線分である連結線分（直線Ｕ３のうち重心Ｓ２７ａ、Ｓ２９ａとの間に存する部分）を含む連結直線（直線Ｕ３）に、ＸＹ平面（図１２）に第１先端（先端２５ａ）から下ろした垂線の足であるＸＹ面第１先端足（重心Ｓ２５）から垂線を下ろした位置足がＸＹ面第２先端足とＸＹ面第３先端足との間の連結線分に含まれるか、又はＸＹ面第１先端足（重心Ｓ２５）が連結線分（直線Ｕ３のうち重心Ｓ２７ａ、Ｓ２９ａとの間に存する部分）に含まれるものである、ブラシ部（ここではＸＹ面第１先端足（重心Ｓ２５）が連結線分（直線Ｕ３のうち重心Ｓ２７ａ、Ｓ２９ａとの間に存する部分）に含まれる）である。
そして、第３歯ブラシのブラシ部３２１は、Ｚ軸方向に往復運動（矢印Ｖ方向に往復運動）する電動歯ブラシ（第３歯ブラシ）のブラシ部であって、第１基端（基端２５ｂ）が支持され、Ｚ軸に平行な両方向のうち一方向（ここでは図９（ａ）（ｃ）及び図１１において上方向）への成分を有する第１方向（長手方向Ｌ１に沿って図１１で上方向）に向けて第１先端（先端２５ａ）が突出するように配設された第１毛束（第１短毛束２５）と、第２基端（基端３２７ｂ）が支持され、該一方向（図９（ａ）（ｃ）及び図１１において上方向）への成分を有する第２方向（長手方向Ｌ４に沿って図１１で上方向）に向けて第２先端（先端３２７ａ）が突出するように配設された第２毛束（第３長毛束３２７）と、第３基端（基端３２９ｂ）が支持され、該一方向（図９（ａ）（ｃ）及び図１１において上方向）への成分を有する第３方向（長手方向Ｌ５に沿って図１１で上方向）に向けて第３先端（先端３２９ａ）が突出するように配設された第３毛束（第４長毛束３２９）と、を備えてなり、Ｚ軸に第２先端（先端３２７ａ）から下ろした垂線の足であるＺ軸第２先端足（ＸＹ面Ｐ２とＺ軸との交点）と、Ｚ軸に第３先端（先端３２９ａ）から下ろした垂線の足であるＺ軸第３先端足（ＸＹ面Ｐ２とＺ軸との交点）と、のいずれも、Ｚ軸に第１先端（先端２５ａ）から下ろした垂線の足であるＺ軸第１先端足（ＸＹ面Ｐ３とＺ軸との交点）よりも該一方向（図９（ａ）（ｃ）及び図１１において上方向）側に位置すると共に、Ｚ軸に垂直なＸＹ平面（図１２が示す面）に第２先端（先端３２７ａ）から下ろした垂線の足であるＸＹ面第２先端足（重心Ｓ３２７ａ）と、ＸＹ平面（図１２）に第３先端（先端３２９ａ）から下ろした垂線の足であるＸＹ面第３先端足（重心Ｓ３２９ａ）と、を結ぶ線分である連結線分（直線Ｕ４のうち重心Ｓ３２７ａ、Ｓ３２９ａとの間に存する部分）を含む連結直線（直線Ｕ４）に、ＸＹ平面（図１２）に第１先端（先端２５ａ）から下ろした垂線の足であるＸＹ面第１先端足（重心Ｓ２５）から垂線を下ろした位置足がＸＹ面第２先端足とＸＹ面第３先端足との間の連結線分に含まれるか、又はＸＹ面第１先端足（重心Ｓ２５）が連結線分（直線Ｕ４のうち重心Ｓ３２７ａ、Ｓ３２９ａとの間に存する部分）に含まれるものである、ブラシ部（ここではＸＹ面第１先端足（重心Ｓ２５）が連結線分（直線Ｕ４のうち重心Ｓ３２７ａ、Ｓ３２９ａとの間に存する部分）に含まれる）である。
【００５６】
第３歯ブラシのブラシ部３２１においては、ＸＹ面第２先端足（重心Ｓ２７ａ）とＸＹ面第３先端足（重心Ｓ２９ａ）とに一対の対角が存しＸＹ平面に存する菱形（４本の直線Ｕ３１、Ｕ３２、Ｕ３３、Ｕ３４によって取り囲まれる四角形たる菱形）の内部に、ＸＹ面第１先端足（重心Ｓ２５）が存するものである。
さらに、第３歯ブラシのブラシ部３２１においては、ＸＹ面第２先端足（重心Ｓ３２７ａ）とＸＹ面第３先端足（重心Ｓ３２９ａ）とに一対の対角が存しＸＹ平面に存する菱形（４本の直線Ｕ４１、Ｕ４２、Ｕ４３、Ｕ４４によって取り囲まれる四角形たる菱形）の内部に、ＸＹ面第１先端足（重心Ｓ２５）が存するものである。
第３歯ブラシのブラシ部３２１において、直線Ｕ３１、Ｕ３２、Ｕ３３、Ｕ３４によって取り囲まれる菱形では、前記対角が４５度（２×Ｑ６）である。
第３歯ブラシのブラシ部３２１において、直線Ｕ４１、Ｕ４２、Ｕ４３、Ｕ４４によって取り囲まれる菱形では、前記対角が４５度（２×Ｑ７）である。
【００５７】
第３歯ブラシのブラシ部３２１においては、Ｚ軸第２先端足（先端２７ａに係るもの。ＸＹ面Ｐ２とＺ軸との交点）とＺ軸第３先端足（先端２９ａに係るもの。ＸＹ面Ｐ２とＺ軸との交点）とが一致する。
第３歯ブラシのブラシ部３２１においては、Ｚ軸第２先端足（先端３２７ａに係るもの。ＸＹ面Ｐ２とＺ軸との交点）とＺ軸第３先端足（先端３２９ａに係るもの。ＸＹ面Ｐ２とＺ軸との交点）とが一致する。
第３歯ブラシのブラシ部３２１においては、Ｚ軸第２先端足（先端２７ａに係るもの。ＸＹ面Ｐ２とＺ軸との交点）とＺ軸第１先端足（ＸＹ面Ｐ３とＺ軸との交点）との間の距離（距離Ｎ４＝約２ｍｍ）と、Ｚ軸第３先端足（先端２９ａに係るもの。ＸＹ面Ｐ２とＺ軸との交点）とＺ軸第１先端足（ＸＹ面Ｐ３とＺ軸との交点）との間の距離（距離Ｎ４＝約２ｍｍ）と、のいずれもが１．０ｍｍ〜３．０ｍｍである。
第３歯ブラシのブラシ部３２１においては、Ｚ軸第２先端足（先端３２７ａに係るもの。ＸＹ面Ｐ２とＺ軸との交点）とＺ軸第１先端足（ＸＹ面Ｐ３とＺ軸との交点）との間の距離（距離Ｎ４＝約２ｍｍ）と、Ｚ軸第３先端足（先端３２９ａに係るもの。ＸＹ面Ｐ２とＺ軸との交点）とＺ軸第１先端足（ＸＹ面Ｐ３とＺ軸との交点）との間の距離（距離Ｎ４＝約２ｍｍ）と、のいずれもが１．０ｍｍ〜３．０ｍｍである。
第３歯ブラシのブラシ部３２１においては、前記位置足、又はＸＹ面第１先端足（重心Ｓ２５）が連結線分（直線Ｕ３のうち重心Ｓ２７ａ、Ｓ２９ａとの間に存する部分）に含まれる場合のＸＹ面第１先端足（重心Ｓ２５）と、連結線分（直線Ｕ３のうち重心Ｓ２７ａ、Ｓ２９ａとの間に存する部分）の中点と、の間の距離ｄ１（ここではＸＹ面第１先端足（重心Ｓ２５）が連結線分の中点に位置するので、ｄ１＝０）を連結線分の長さｄ０で除した値（ｄ１／ｄ０）が０（０〜１／３）である。
第３歯ブラシのブラシ部３２１においては、前記位置足、又はＸＹ面第１先端足（重心Ｓ２５）が連結線分（直線Ｕ４のうち重心Ｓ３２７ａ、Ｓ３２９ａとの間に存する部分）に含まれる場合のＸＹ面第１先端足（重心Ｓ２５）と、連結線分（直線Ｕ４のうち重心Ｓ３２７ａ、Ｓ３２９ａとの間に存する部分）の中点と、の間の距離ｄ１（ここではＸＹ面第１先端足（重心Ｓ２５）が連結線分の中点に位置するので、ｄ１＝０）を連結線分の長さｄ０で除した値（ｄ１／ｄ０）が０（０〜１／３）である。
【００５８】
第３歯ブラシのブラシ部３２１においては、前記連結線分（直線Ｕ３のうち重心Ｓ２７ａ、Ｓ２９ａとの間に存する部分）にＸＹ面第２先端足（重心Ｓ２７ａ）にて直交する直線であるＸＹ面第２先端足直交直線Ｕｔ１によりＸＹ平面が、ＸＹ面第３先端足（重心Ｓ２９ａ）が存する一方Ｍ１と、他方Ｍ２と、に分割され、ＸＹ平面に第２基端（基端２７ｂ）から下ろした垂線の足であるＸＹ面第２基端足（重心Ｓ２７ｂ）が、該他方Ｍ２に存するものである。
第３歯ブラシのブラシ部３２１においては、ＸＹ面第２基端足（重心Ｓ２７ｂ）が、連結線分（直線Ｕ３のうち重心Ｓ２７ａ、Ｓ２９ａとの間に存する部分）を含む連結直線（直線Ｕ３）に存するものである。
第３歯ブラシのブラシ部３２１においては、Ｚ軸に平行で連結線分（直線Ｕ３のうち重心Ｓ２７ａ、Ｓ２９ａとの間に存する部分）を含む平面（図１０が示している面Ｐ３１）への第２毛束（第１長毛束２７）の長手方向Ｌ２と平行な直線の正投影が、Ｚ軸に対する角度Ｑ１が５度（３〜１０度）である。
【００５９】
第３歯ブラシのブラシ部３２１においては、前記連結線分（直線Ｕ４のうち重心Ｓ３２７ａ、Ｓ３２９ａとの間に存する部分）にＸＹ面第２先端足（重心Ｓ３２７ａ）にて直交する直線であるＸＹ面第２先端足直交直線Ｕｔ３によりＸＹ平面が、ＸＹ面第３先端足（重心Ｓ３２９ａ）が存する一方Ｍ５と、他方Ｍ６と、に分割され、ＸＹ平面に第２基端（基端３２７ｂ）から下ろした垂線の足であるＸＹ面第２基端足（重心Ｓ３２７ｂ）が、該他方Ｍ６に存するものである。
第３歯ブラシのブラシ部３２１においては、ＸＹ面第２基端足（重心Ｓ３２７ｂ）が、連結線分（直線Ｕ４のうち重心Ｓ３２７ａ、Ｓ３２９ａとの間に存する部分）を含む連結直線（直線Ｕ４）に存するものである。
第３歯ブラシのブラシ部３２１においては、Ｚ軸に平行で連結線分（直線Ｕ４のうち重心Ｓ３２７ａ、Ｓ３２９ａとの間に存する部分）を含む平面（図１１が示している面Ｐ３２）への第２毛束（第１長毛束３２７）の長手方向Ｌ４と平行な直線の正投影が、Ｚ軸に対する角度Ｑ３が５度（３〜１０度）である。
【００６０】
第３歯ブラシのブラシ部３２１においては、前記連結線分（直線Ｕ３のうち重心Ｓ２７ａ、Ｓ２９ａとの間に存する部分）にＸＹ面第３先端足（重心Ｓ２９ａ）にて直交する直線であるＸＹ面第３先端足直交直線Ｕｔ２によりＸＹ平面が、ＸＹ面第２先端足（重心Ｓ２７ａ）が存する一方Ｍ３と、他方Ｍ４と、に分割され、ＸＹ平面に第３基端（基端２９ｂ）から下ろした垂線の足であるＸＹ面第３基端足（重心Ｓ２９ｂ）が、該他方Ｍ４に存するものである。
第３歯ブラシのブラシ部３２１においては、ＸＹ面第３基端足（重心Ｓ２９ｂ）が、連結線分（直線Ｕ３のうち重心Ｓ２７ａ、Ｓ２９ａとの間に存する部分）を含む連結直線（直線Ｕ３）に存するものである。
第３歯ブラシのブラシ部３２１においては、Ｚ軸に平行で連結線分（直線Ｕ３のうち重心Ｓ２７ａ、Ｓ２９ａとの間に存する部分）を含む平面（図１０が示している面Ｐ３１）への第３毛束（第２長毛束２９）の長手方向Ｌ３と平行な直線の正投影が、Ｚ軸に対する角度Ｑ２が５度（３〜１０度）である。
【００６１】
第３歯ブラシのブラシ部３２１においては、前記連結線分（直線Ｕ４のうち重心Ｓ３２７ａ、Ｓ３２９ａとの間に存する部分）にＸＹ面第３先端足（重心Ｓ３２９ａ）にて直交する直線であるＸＹ面第３先端足直交直線Ｕｔ４によりＸＹ平面が、ＸＹ面第２先端足（重心Ｓ３２７ａ）が存する一方Ｍ７と、他方Ｍ８と、に分割され、ＸＹ平面に第３基端（基端３２９ｂ）から下ろした垂線の足であるＸＹ面第３基端足（重心Ｓ３２９ｂ）が、該他方Ｍ８に存するものである。
第３歯ブラシのブラシ部３２１においては、ＸＹ面第３基端足（重心Ｓ３２９ｂ）が、連結線分（直線Ｕ４のうち重心Ｓ３２７ａ、Ｓ３２９ａとの間に存する部分）を含む連結直線（直線Ｕ４）に存するものである。
第３歯ブラシのブラシ部３２１においては、Ｚ軸に平行で連結線分（直線Ｕ４のうち重心Ｓ３２７ａ、Ｓ３２９ａとの間に存する部分）を含む平面（図１１が示している面Ｐ３２）への第３毛束（第２長毛束３２９）の長手方向Ｌ５と平行な直線の正投影が、Ｚ軸に対する角度Ｑ４が５度（３〜１０度）である。
【００６２】
第３歯ブラシのブラシ部３２１においては、第１毛束（第１短毛束２５）が、Ｚ軸に平行な真っ直ぐのものであり、第２毛束（第１長毛束２７）と第３毛束（第２長毛束２９）とが、Ｚ軸に平行な平面（ここでは連結線分（直線Ｕ３のうち重心Ｓ２７ａ、Ｓ２９ａとの間に存する部分）に対して垂直な平面であって、連結線分の中点にて連結線分と交わる平面）に対して面対称に配設されるものである。
また、第３歯ブラシのブラシ部３２１においては、第１毛束（第１短毛束２５）が、Ｚ軸に平行な真っ直ぐのものであり、第２毛束（第３長毛束３２７）と第３毛束（第４長毛束３２９）とが、Ｚ軸に平行な平面（ここでは連結線分（直線Ｕ４のうち重心Ｓ３２７ａ、Ｓ３２９ａとの間に存する部分）に対して垂直な平面であって、連結線分の中点にて連結線分と交わる平面）に対して面対称に配設されるものである。
第３歯ブラシのブラシ部３２１は、ブラシ部３２１と、該ブラシ部３２１が着脱自在に取り付けられ該ブラシ部３２１をＺ軸方向に往復運動させる本体部１３と、を備えてなる電動歯ブラシ（第３歯ブラシ）を構成している。
【００６３】
（第４実施形態）
図１３は、本発明の第４実施形態に係る歯ブラシ（以下「第４歯ブラシ」という。）を構成するブラシ部４２１の先端部分の拡大図であり、詳細には、図１３（ａ）はブラシ部４２１の正面図（第１歯ブラシ１１の図２（ａ）と同様の方向から見たところを示している。）であり、図１３（ｂ）はブラシ部４２１の平面図（図１３（ａ）中の矢印Ａ方向から見たところを示している。）であり、図１３（ｃ）はブラシ部４２１の右側面図（図１３（ａ）中の矢印Ｂ方向から見たところを示している。）である。）である。第４歯ブラシは、第１歯ブラシ１１に比しブラシ部４２１が異なるのみであるので（第１歯ブラシ１１の本体部１３と同様の本体部を第４歯ブラシも備えており、該本体部にブラシ部４２１が着脱自在に取り付けられている。）、図１３を参照しブラシ部４２１を説明する。また、第１歯ブラシ１１の説明と同様、互いに直交する３軸であるＸ軸、Ｙ軸及びＺ軸を用いて説明し、これらＸ軸、Ｙ軸及びＺ軸の各方向を図中に「Ｘ」、「Ｙ」及び「Ｚ」の矢印として示す。
【００６４】
ブラシ部４２１は、前記本体部によりＺ軸方向に往復動（往復動方向を図１３中に矢印Ｖとして示す。）し、前記本体部のブラシ部取付部に基端が着脱自在に取り付けられるブラシ部本体４２３と、ブラシ部本体４２３の先端側に一対形成された植毛面２２４ａ、２２４ｂのうち植毛面２２４ａに植毛された第１短毛束２２５、第１長毛束２２７及び第２長毛束２２９と、植毛面２２４ｂに植毛された第１短毛束２２５、第１長毛束２２７及び第２長毛束２２９と、を有してなる。
ブラシ部本体４２３は、前記本体部のブラシ部取付部に基端が着脱自在に取り付けられる軸部４２３ａと、軸部４２３ａの先端に軸部４２３ａと一体に形成されたヘッド部４２３ｂと、を含んでなり、ヘッド部４２３ｂは、Ｚ軸に垂直な同一の平面に沿った前述の一対の植毛面２２４ａ、２２４ｂを有している。
植毛面２２４ａ、２２４ｂは、いずれもここでは同じ形状の長方形（該長方形の２辺はＸ軸に平行で、他の２辺はＹ軸に平行である。）を略なすと共に、植毛面２２４ａ、２２４ｂを合わせると、Ｚ軸に垂直なＸＹ面に存する一長方形を形成している。植毛面２２４ａ、２２４ｂが合わさって形成される該一長方形の角を挟む両辺の長さは特に制限されないが、ここでは約７．５ｍｍ×約１０．５ｍｍ（いずれも７ｍｍ〜１２ｍｍとしてもよい。）とされている。
【００６５】
ブラシ部４２１における植毛面２２４ａと、植毛面２２４ａに植毛された第１短毛束２２５、第１長毛束２２７及び第２長毛束２２９と、は、第２歯ブラシのブラシ部２２１における植毛面２２４と、植毛面２２４に植毛された第１短毛束２２５、第１長毛束２２７及び第２長毛束２２９と同様に形成されているのでここでは詳細な説明を省略する。
同様に、ブラシ部４２１における植毛面２２４ｂと、植毛面２２４ｂに植毛された第１短毛束２２５、第１長毛束２２７及び第２長毛束２２９と、は、第２歯ブラシのブラシ部２２１における植毛面２２４と、植毛面２２４に植毛された第１短毛束２２５、第１長毛束２２７及び第２長毛束２２９と同様に形成されているのでここでは詳細な説明を省略する（なお、植毛面２２４ａと、植毛面２２４ａに植毛された第１短毛束２２５、第１長毛束２２７及び第２長毛束２２９と、は、植毛面２２４ｂと、植毛面２２４ｂに植毛された第１短毛束２２５、第１長毛束２２７及び第２長毛束２２９と、同様である。）。即ち、ブラシ部４２１は、第２歯ブラシのブラシ部２２１における植毛面２２４と、植毛面２２４に植毛された第１短毛束２２５、第１長毛束２２７及び第２長毛束２２９と、がＸ軸方向に２個形成されたものと同様である。従って、図１３（ａ）及び（ｂ）におけるＷ１−Ｗ１端面及びＷ２−Ｗ２端面のいずれの端面も、図７と同様であるので、ここでは詳細な説明を省略する。
ブラシ部４２１における植毛面２２４ａに植毛された第１短毛束２２５と、ブラシ部４２１における植毛面２２４ｂに植毛された第１短毛束２２５と、はＹ軸方向及びＺ軸方向に関し同じ位置に存し（Ｘ軸に垂直なＹＺ面への両第１短毛束２２５の正投影は略一致する。）、ブラシ部４２１における植毛面２２４ａに植毛された第１長毛束２２７と、ブラシ部４２１における植毛面２２４ｂに植毛された第１長毛束２２７と、はＹ軸方向及びＺ軸方向に関し同じ位置に存し（Ｘ軸に垂直なＹＺ面への両第１長毛束２２７の正投影は略一致する。）、そしてブラシ部４２１における植毛面２２４ａに植毛された第２長毛束２２９と、ブラシ部４２１における植毛面２２４ｂに植毛された第２長毛束２２９と、はＹ軸方向及びＺ軸方向に関し同じ位置に存する（Ｘ軸に垂直なＹＺ面への両第２長毛束２２９の正投影は略一致する。）。
【００６６】
図１４は、ＸＹ面（Ｚ軸に垂直な平面）への両方の先端２２５ａの正投影２２５ｒａ、２２５ｒｂ（植毛面２２４ａ側の先端２２５ａの正投影を正投影２２５ｒａとし、植毛面２２４ｂ側の先端２２５ａの正投影を正投影２２５ｒｂとする。）、該ＸＹ面への両方の先端２２７ａの正投影２２７ａｒａ、２２７ａｒｂ（植毛面２２４ａ側の先端２２７ａの正投影を正投影２２７ａｒａとし、植毛面２２４ｂ側の先端２２７ａの正投影を正投影２２７ａｒｂとする。）、該ＸＹ面への両方の先端２２９ａの正投影２２９ａｒａ、２２９ａｒｂ（植毛面２２４ａ側の先端２２９ａの正投影を正投影２２９ａｒａとし、植毛面２２４ｂ側の先端２２９ａの正投影を正投影２２９ａｒｂとする。）、該ＸＹ面への両方の基端２２７ｂの正投影２２７ｂｒａ、２２７ｂｒｂ（植毛面２２４ａ側の基端２２７ｂの正投影を正投影２２７ｂｒａとし、植毛面２２４ｂ側の基端２２７ｂの正投影を正投影２２７ｂｒｂとする。）、該ＸＹ面への両方の基端２２９ｂの正投影２２９ｂｒａ、２２９ｂｒｂ（植毛面２２４ａ側の基端２２９ｂの正投影を正投影２２９ｂｒａとし、植毛面２２４ｂ側の基端２２９ｂの正投影を正投影２２９ｂｒｂとする。）を示す図である（図示を容易にするため、１本の毛の正投影を点にて示している。）。そして、これら正投影２２５ｒａ、２２５ｒｂ、２２７ａｒａ、２２７ａｒｂ、２２９ａｒａ、２２９ａｒｂ、２２７ｂｒａ、２２７ｂｒｂ、２２９ｂｒａ、２２９ｂｒｂの重心（各毛の正投影の単位面積に同じ質量が存在すると仮定した場合の重心）をそれぞれＳ２２５ａ、Ｓ２２５ｂ、Ｓ２２７ａａ、Ｓ２２７ａｂ、Ｓ２２９ａａ、Ｓ２２９ａｂ、Ｓ２２７ｂａ、Ｓ２２７ｂｂ、Ｓ２２９ｂａ、Ｓ２２９ｂｂとする。なお、基端２２５ｂの該ＸＹ面への正投影の重心は、先端２２５ａの該ＸＹ面への正投影の重心Ｓ２２５ａ、Ｓ２２５ｂと略一致する。
【００６７】
これらＳ２２５ａ、Ｓ２２７ａａ、Ｓ２２９ａａ、Ｓ２２７ｂａ、Ｓ２２９ｂａの互いの位置関係は、図８に示した第２歯ブラシにおけるＳ２２５、Ｓ２２７ａ、Ｓ２２９ａ、Ｓ２２７ｂ、Ｓ２２９ｂの位置関係と同じである。同様に、Ｓ２２５ｂ、Ｓ２２７ａｂ、Ｓ２２９ａｂ、Ｓ２２７ｂｂ、Ｓ２２９ｂｂは、図８に示した第２歯ブラシにおけるＳ２２５、Ｓ２２７ａ、Ｓ２２９ａ、Ｓ２２７ｂ、Ｓ２２９ｂの位置関係と同じである。
Ｓ２２５ａ、Ｓ２２７ａａ、Ｓ２２９ａａ、Ｓ２２７ｂａ、Ｓ２２９ｂａが存する直線Ｕ６ａ（ＸＹ面に存し、Ｘ軸に垂直な直線）と、Ｓ２２５ｂ、Ｓ２２７ａｂ、Ｓ２２９ａｂ、Ｓ２２７ｂｂ、Ｓ２２９ｂｂが存する直線Ｕ６ｂ（ＸＹ面に存し、Ｘ軸に垂直な直線）と、は互いに平行である（Ｙ軸にも平行）。また、Ｓ２２５ａとＳ２２５ｂとは、ＸＹ面に存しＸ軸に平行な直線Ｕ７１上に存し、Ｓ２２７ａａとＳ２２７ａｂとは、ＸＹ面に存しＸ軸に平行な直線Ｕ７２上に存し、Ｓ２２９ａａとＳ２２９ａｂとは、ＸＹ面に存しＸ軸に平行な直線Ｕ７３上に存し、Ｓ２２７ｂａとＳ２２７ｂｂとは、ＸＹ面に存しＸ軸に平行な直線Ｕ７４上に存し、そしてＳ２２９ｂａとＳ２２９ｂｂとは、ＸＹ面に存しＸ軸に平行な直線Ｕ７５上に存する（無論、直線Ｕ７１〜Ｕ７５は互いに平行であり、直線Ｕ７１〜Ｕ７５と直線Ｕ６ａ、Ｕ６ｂとは直交する。）。
【００６８】
以上説明の通り、第４歯ブラシのブラシ部４２１は、植毛面２２４ａと植毛面２２４ｂとにそれぞれ次のブラシ部を含んでなる。即ち、該ブラシ部は、Ｚ軸方向に往復運動（矢印Ｖ方向に往復運動）する電動歯ブラシ（第４歯ブラシ）のブラシ部であって、第１基端（基端２２５ｂ）が支持され、Ｚ軸に平行な両方向のうち一方向（ここでは図１３（ａ）（ｃ）において上方向）への成分を有する第１方向（長手方向Ｌ１に沿って上方向）に向けて第１先端（先端２２５ａ）が突出するように配設された第１毛束（第１短毛束２２５）と、第２基端（基端２２７ｂ）が支持され、該一方向（図１３（ａ）（ｃ）において上方向）への成分を有する第２方向（長手方向Ｌ２に沿って上方向）に向けて第２先端（先端２２７ａ）が突出するように配設された第２毛束（第１長毛束２２７）と、第３基端（基端２２９ｂ）が支持され、該一方向（図１３（ａ）（ｃ）において上方向）への成分を有する第３方向（長手方向Ｌ３に沿って上方向）に向けて第３先端（先端２２９ａ）が突出するように配設された第３毛束（第２長毛束２２９）と、を備えてなり、Ｚ軸に第２先端（先端２２７ａ）から下ろした垂線の足であるＺ軸第２先端足（ＸＹ面Ｐ２とＺ軸との交点）と、Ｚ軸に第３先端（先端２２９ａ）から下ろした垂線の足であるＺ軸第３先端足（ＸＹ面Ｐ２とＺ軸との交点）と、のいずれも、Ｚ軸に第１先端（先端２２５ａ）から下ろした垂線の足であるＺ軸第１先端足（ＸＹ面Ｐ３とＺ軸との交点）よりも該一方向（図１３（ａ）（ｃ）において上方向）側に位置すると共に、Ｚ軸に垂直なＸＹ平面（図１４が示す面）に第２先端（先端２２７ａ）から下ろした垂線の足であるＸＹ面第２先端足（重心Ｓ２２７ａａ、Ｓ２２７ａｂ）と、ＸＹ平面（図１４）に第３先端（先端２２９ａ）から下ろした垂線の足であるＸＹ面第３先端足（重心Ｓ２２９ａａ、Ｓ２２９ａｂ）と、を結ぶ線分である連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）を含む連結直線（直線Ｕ６ａ、Ｕ６ｂ）に、ＸＹ平面（図１４）に第１先端（先端２２５ａ）から下ろした垂線の足であるＸＹ面第１先端足（重心Ｓ２２５ａ、Ｓ２２５ｂ）から垂線を下ろした位置足がＸＹ面第２先端足とＸＹ面第３先端足との間の連結線分に含まれるか、又はＸＹ面第１先端足（重心Ｓ２２５ａ、Ｓ２２５ｂ）が連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）に含まれるものである、ブラシ部（ここではＸＹ面第１先端足（重心Ｓ２２５ａ、Ｓ２２５ｂ）が連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）に含まれる）である。
【００６９】
第４歯ブラシのブラシ部４２１においては、植毛面２２４ａと植毛面２２４ｂとのいずれに形成されるブラシ部も、ＸＹ面第２先端足（重心Ｓ２２７ａａ、Ｓ２２７ａｂ）とＸＹ面第３先端足（重心Ｓ２２９ａａ、Ｓ２２９ａｂ）とに一対の対角が存しＸＹ平面に存する菱形（４本の直線Ｕ１１、Ｕ１２、Ｕ２１、Ｕ２２によって取り囲まれる四角形たる菱形）の内部に、ＸＹ面第１先端足（重心Ｓ２２５ａ、Ｓ２２５ｂ）が存するものである。
第４歯ブラシのブラシ部４２１においては、いずれの前記菱形の前記対角も４５度（２×角度Ｑ５）である。
第４歯ブラシのブラシ部４２１においては、植毛面２２４ａと植毛面２２４ｂとのいずれに形成されるブラシ部も、Ｚ軸第２先端足（ＸＹ面Ｐ２とＺ軸との交点）とＺ軸第３先端足（ＸＹ面Ｐ２とＺ軸との交点）とが一致する。
第４歯ブラシのブラシ部４２１においては、植毛面２２４ａと植毛面２２４ｂとのいずれに形成されるブラシ部も、Ｚ軸第２先端足（ＸＹ面Ｐ２とＺ軸との交点）とＺ軸第１先端足（ＸＹ面Ｐ３とＺ軸との交点）との間の距離（距離Ｎ４＝約２ｍｍ）と、Ｚ軸第３先端足（ＸＹ面Ｐ２とＺ軸との交点）とＺ軸第１先端足（ＸＹ面Ｐ３とＺ軸との交点）との間の距離（距離Ｎ４＝約２ｍｍ）と、のいずれもが１．０ｍｍ〜３．０ｍｍである。
第４歯ブラシのブラシ部４２１においては、植毛面２２４ａと植毛面２２４ｂとのいずれに形成されるブラシ部も、前記位置足、又はＸＹ面第１先端足（重心Ｓ２２５ａ、Ｓ２２５ｂ）が連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）に含まれる場合のＸＹ面第１先端足（重心Ｓ２２５ａ、Ｓ２２５ｂ）と、連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）の中点と、の間の距離ｄ１（ここではＸＹ面第１先端足（重心Ｓ２２５ａ、Ｓ２２５ｂ）が連結線分の中点に位置するので、ｄ１＝０）を連結線分の長さｄ０で除した値（ｄ１／ｄ０）が０（０〜１／３）である。
【００７０】
第４歯ブラシのブラシ部４２１においては、植毛面２２４ａと植毛面２２４ｂとのいずれに形成されるブラシ部も、前記連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）にＸＹ面第２先端足（重心Ｓ２２７ａａ、Ｓ２２７ａｂ）にて直交する直線であるＸＹ面第２先端足直交直線（ここでは直線Ｕ７２に一致する）によりＸＹ平面が、ＸＹ面第３先端足（重心Ｓ２２９ａａ、Ｓ２２９ａｂ）が存する一方Ｍ１と、他方Ｍ２と、に分割され、ＸＹ平面に第２基端（基端２２７ｂ）から下ろした垂線の足であるＸＹ面第２基端足（重心Ｓ２２７ｂａ、Ｓ２２７ｂｂ）が、該他方Ｍ２に存するものである。
第４歯ブラシのブラシ部４２１においては、植毛面２２４ａと植毛面２２４ｂとのいずれに形成されるブラシ部も、ＸＹ面第２基端足（重心Ｓ２２７ｂａ、Ｓ２２７ｂｂ）が、連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）を含む連結直線（直線Ｕ６ａ、Ｕ６ｂ）に存するものである。
第４歯ブラシのブラシ部４２１においては、植毛面２２４ａと植毛面２２４ｂとのいずれに形成されるブラシ部も、Ｚ軸に平行で連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）を含む平面（Ｗ１ーＷ１の面、Ｗ２ーＷ２の面）への第２毛束（第１長毛束２２７）の長手方向Ｌ２と平行な直線の正投影が、Ｚ軸に対する角度Ｑ１が５度（３〜１０度）である。
【００７１】
第４歯ブラシのブラシ部４２１においては、植毛面２２４ａと植毛面２２４ｂとのいずれに形成されるブラシ部も、前記連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）にＸＹ面第３先端足（重心Ｓ２２９ａａ、Ｓ２２９ａｂ）にて直交する直線であるＸＹ面第３先端足直交直線（ここでは直線Ｕ７３に一致する）によりＸＹ平面が、ＸＹ面第２先端足（重心Ｓ２２７ａａ、Ｓ２２７ａｂ）が存する一方Ｍ３と、他方Ｍ４と、に分割され、ＸＹ平面に第３基端（基端２２９ｂ）から下ろした垂線の足であるＸＹ面第３基端足（重心Ｓ２２９ｂａ、Ｓ２２９ｂｂ）が、該他方Ｍ４に存するものである。
第４歯ブラシのブラシ部４２１においては、植毛面２２４ａと植毛面２２４ｂとのいずれに形成されるブラシ部も、ＸＹ面第３基端足（重心Ｓ２２９ｂａ、Ｓ２２９ｂｂ）が、連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）を含む連結直線（直線Ｕ６ａ、Ｕ６ｂ）に存するものである。
第４歯ブラシのブラシ部４２１においては、植毛面２２４ａと植毛面２２４ｂとのいずれに形成されるブラシ部も、Ｚ軸に平行で連結線分（直線Ｕ６ａのうち重心Ｓ２２７ａａ、Ｓ２２９ａａとの間に存する部分、直線Ｕ６ｂのうち重心Ｓ２２７ａｂ、Ｓ２２９ａｂとの間に存する部分）を含む平面（Ｗ１ーＷ１の面、Ｗ２ーＷ２の面）への第３毛束（第２長毛束２２９）の長手方向Ｌ３と平行な直線の正投影が、Ｚ軸に対する角度Ｑ２が５度（３〜１０度）である。
【００７２】
第４歯ブラシのブラシ部４２１においては、植毛面２２４ａと植毛面２２４ｂとのいずれに形成されるブラシ部も、第１毛束（第１短毛束２２５）が、Ｚ軸に平行な真っ直ぐのものであり、第２毛束（第１長毛束２２７）と第３毛束（第２長毛束２２９）とが、Ｚ軸に平行な平面（ここでは連結線分に対して垂直な平面であって、連結線分の中点にて連結線分と交わる平面）に対して面対称に配設されるものである。
第４歯ブラシのブラシ部４２１は、植毛面２２４ａに形成されるブラシ部と植毛面２２４ｂに形成されるブラシ部との２のブラシ部を含んでなり、該２のブラシ部のうち一方（植毛面２２４ａ側）のブラシ部の第１先端（先端２２５ａ）と該２のブラシ部のうち他方（植毛面２２４ｂ側）のブラシ部の第１先端（先端２２５ａ）と、該一方（植毛面２２４ａ側）のブラシ部の第２先端（先端２２７ａ）と該他方（植毛面２２４ｂ側）のブラシ部の第２先端（先端２２７ａ）と、該一方（植毛面２２４ａ側）のブラシ部の第３先端（先端２２９ａ）と該他方（植毛面２２４ｂ側）のブラシ部の第３先端（先端２２９ａ）と、のいずれもが、Ｚ軸に平行な平面Ｐｍに対し面対称に存するものである、ブラシ部である。
第４歯ブラシのブラシ部４２１は、ブラシ部４２１と、該ブラシ部４２１が着脱自在に取り付けられ該ブラシ部４２１をＺ軸方向に往復運動させる本体部１３と、を備えてなる電動歯ブラシ（第４歯ブラシ）を構成している。
【００７３】
（第５実施形態）
図１５は、本発明の第５実施形態に係る歯ブラシ（以下「第５歯ブラシ」という。）を構成するブラシ部５２１の先端部分の拡大図であり、詳細には、図１５（ａ）はブラシ部５２１の正面図（第１歯ブラシ１１の図２（ａ）と同様の方向から見たところを示している。）であり、図１５（ｂ）はブラシ部５２１の平面図（図１５（ａ）中の矢印Ａ方向から見たところを示している。）であり、図１５（ｃ）はブラシ部５２１の右側面図（図１５（ａ）中の矢印Ｂ方向から見たところを示している。）である。）である。第５歯ブラシは、第１歯ブラシ１１に比しブラシ部５２１が異なるのみであるので（第１歯ブラシ１１の本体部１３と同様の本体部を第５歯ブラシも備えており、該本体部にブラシ部５２１が着脱自在に取り付けられている。）、図１５を参照しブラシ部５２１を説明する。また、第１歯ブラシ１１の説明と同様、互いに直交する３軸であるＸ軸、Ｙ軸及びＺ軸を用いて説明し、これらＸ軸、Ｙ軸及びＺ軸の各方向を図中に「Ｘ」、「Ｙ」及び「Ｚ」の矢印として示す。
【００７４】
第５歯ブラシのブラシ部５２１は、第４歯ブラシのブラシ部４２１に比し、植毛面２２４ａに植毛された第１長毛束２２７及び第２長毛束２２９と、植毛面２２４ｂに植毛された第１長毛束２２７及び第２長毛束２２９と、の長手方向（傾き方向）が異なるのみであり、その余りは同様である。
具体的には、特に図１５（ｂ）に示す通り、植毛面２２４ａに植毛された第１長毛束２２７の長手方向Ｌ２と、植毛面２２４ｂに植毛された第２長毛束２２９の長手方向Ｌ３と、はＺ軸に平行な同一平面Ｐｐに存する。また、植毛面２２４ｂに植毛された第１長毛束２２７の長手方向Ｌ２と、植毛面２２４ａに植毛された第２長毛束２２９の長手方向Ｌ３と、はＺ軸に平行な同一平面Ｐｑに存する。なお、植毛面２２４ａに植毛された第１短毛束２２５の長手方向と、植毛面２２４ｂに植毛された第１短毛束２２５の長手方向と、はＺ軸及びＸ軸に平行な同一平面Ｐｒ（Ｙ軸に垂直）に存し、これら平面Ｐｐ、平面Ｐｑ及び平面Ｐｒは、Ｚ軸に平行な一直線上で交わる。
【００７５】
図１６は、平面Ｐｐによって切断した一部省略端面図（図１５（ｂ）中のＫ５−Ｋ５端面図）であり、平面Ｐｑによる端面（図１５（ｂ）中のＫ６−Ｋ６端面図）もこれと同様である。但し、Ｋ６−Ｋ６端面の理解を容易にするため、図１６中の参照番号のうちＫ６−Ｋ６端面のものをかっこ書きにて示す。
第５歯ブラシのブラシ部５２１における一対の第１長毛束２２７及び一対の第２長毛束２２９は、前述の通り、第４歯ブラシのブラシ部４２１における一対の第１長毛束２２７及び一対の第２長毛束２２９と同様のものである（第２歯ブラシのブラシ部２２１における第１長毛束２２７及び第２長毛束２２９とも同様のものである。）。
植毛面２２４ａに植毛された第１長毛束２２７の基端２２７ｂ（植毛面２２４ａ側）よりも先端２２７ａは、植毛面２２４ｂに植毛された第２長毛束２２９側に存するように第１長毛束２２７の長手方向Ｌ２はＺ軸に対して傾斜している。Ｚ軸と長手方向Ｌ２とがなす角度Ｑ１（該角度は、Ｚ軸に平行な直線と長手方向Ｌ２に平行な直線とのいずれか一方を他方に交わるように平行移動させ、該交わる両直線がなす角度のうち０〜９０度のものをいう。）は約５度（例えば３〜１０度とされてもよい。）とされている。そして、植毛面２２４ｂに植毛された第２長毛束２２９の基端２２９ｂ（植毛面２２４ｂ側）よりも先端２２９ａは、植毛面２２４ａに植毛された第１長毛束２２７側に存するように第２長毛束２２９の長手方向Ｌ３はＺ軸に対して傾斜している。Ｚ軸と長手方向Ｌ３とがなす角度Ｑ２（該角度は、Ｚ軸に平行な直線と長手方向Ｌ３に平行な直線とのいずれか一方を他方に交わるように平行移動させ、該交わる両直線がなす角度のうち０〜９０度のものをいう。）は約５度（例えば３〜１０度とされてもよい。）とされている。
【００７６】
同様に、植毛面２２４ｂに植毛された第１長毛束２２７の基端２２７ｂ（植毛面２２４ｂ側）よりも先端２２７ａは、植毛面２２４ａに植毛された第２長毛束２２９側に存するように第１長毛束２２７の長手方向Ｌ２はＺ軸に対して傾斜している。Ｚ軸と長手方向Ｌ２とがなす角度Ｑ１（該角度は、Ｚ軸に平行な直線と長手方向Ｌ２に平行な直線とのいずれか一方を他方に交わるように平行移動させ、該交わる両直線がなす角度のうち０〜９０度のものをいう。）は約５度（例えば３〜１０度とされてもよい。）とされている。そして、植毛面２２４ａに植毛された第２長毛束２２９の基端２２９ｂ（植毛面２２４ａ側）よりも先端２２９ａは、植毛面２２４ｂに植毛された第１長毛束２２７側に存するように第２長毛束２２９の長手方向Ｌ３はＺ軸に対して傾斜している。Ｚ軸と長手方向Ｌ３とがなす角度Ｑ２（該角度は、Ｚ軸に平行な直線と長手方向Ｌ３に平行な直線とのいずれか一方を他方に交わるように平行移動させ、該交わる両直線がなす角度のうち０〜９０度のものをいう。）は約５度（例えば３〜１０度とされてもよい。）とされている。
一対の先端２２７ａ及び一対の先端２２９ａは、同一のＸＹ面Ｐ２（Ｚ軸に垂直な平面）に存在し、一対の先端２２５ａはＸＹ面Ｐ３（Ｚ軸に垂直な平面）に存在している。面Ｐ２と面Ｐ３との間の距離Ｎ４は約２ｍｍ（例えば１．０ｍｍ〜３．０ｍｍ程度とされてもよい。）とされている。
【００７７】
図１７は、ＸＹ面（Ｚ軸に垂直な平面）への両方の先端２２５ａの正投影２２５ｒａ、２２５ｒｂ（植毛面２２４ａ側の先端２２５ａの正投影を正投影２２５ｒａとし、植毛面２２４ｂ側の先端２２５ａの正投影を正投影２２５ｒｂとする。）、該ＸＹ面への両方の先端２２７ａの正投影２２７ａｒａ、２２７ａｒｂ（植毛面２２４ａ側の先端２２７ａの正投影を正投影２２７ａｒａとし、植毛面２２４ｂ側の先端２２７ａの正投影を正投影２２７ａｒｂとする。）、該ＸＹ面への両方の先端２２９ａの正投影２２９ａｒａ、２２９ａｒｂ（植毛面２２４ａ側の先端２２９ａの正投影を正投影２２９ａｒａとし、植毛面２２４ｂ側の先端２２９ａの正投影を正投影２２９ａｒｂとする。）、該ＸＹ面への両方の基端２２７ｂの正投影２２７ｂｒａ、２２７ｂｒｂ（植毛面２２４ａ側の基端２２７ｂの正投影を正投影２２７ｂｒａとし、植毛面２２４ｂ側の基端２２７ｂの正投影を正投影２２７ｂｒｂとする。）、該ＸＹ面への両方の基端２２９ｂの正投影２２９ｂｒａ、２２９ｂｒｂ（植毛面２２４ａ側の基端２２９ｂの正投影を正投影２２９ｂｒａとし、植毛面２２４ｂ側の基端２２９ｂの正投影を正投影２２９ｂｒｂとする。）を示す図である（図示を容易にするため、１本の毛の正投影を点にて示している。）。そして、これら正投影２２５ｒａ、２２５ｒｂ、２２７ａｒａ、２２７ａｒｂ、２２９ａｒａ、２２９ａｒｂ、２２７ｂｒａ、２２７ｂｒｂ、２２９ｂｒａ、２２９ｂｒｂの重心（各毛の正投影の単位面積に同じ質量が存在すると仮定した場合の重心）をそれぞれＳ２２５ａ、Ｓ２２５ｂ、Ｓ２２７ａａ、Ｓ２２７ａｂ、Ｓ２２９ａａ、Ｓ２２９ａｂ、Ｓ２２７ｂａ、Ｓ２２７ｂｂ、Ｓ２２９ｂａ、Ｓ２２９ｂｂとする。なお、基端２２５ｂの該ＸＹ面への正投影の重心は、先端２２５ａの該ＸＹ面への正投影の重心Ｓ２２５ａ、Ｓ２２５ｂと略一致する。
【００７８】
これらＳ２２５ａ、Ｓ２２５ｂ、Ｓ２２７ａａ、Ｓ２２７ａｂ、Ｓ２２９ａａ、Ｓ２２９ａｂ、Ｓ２２７ｂａ、Ｓ２２７ｂｂ、Ｓ２２９ｂａ及びＳ２２９ｂｂのうち、Ｓ２２５ａ、Ｓ２２５ｂ、Ｓ２２７ｂａ、Ｓ２２７ｂｂ、Ｓ２２９ｂａ及びＳ２２９ｂｂの位置関係は、第４歯ブラシの図１４に示したそれらの位置関係と同様である。Ｓ２２７ａａ及びＳ２２７ａｂは、Ｓ２２５ａ、Ｓ２２７ｂａ、Ｓ２２９ｂａが存する直線Ｕ６ａ（ＸＹ面に存し、Ｘ軸に垂直な直線）と、Ｓ２２５ｂ、Ｓ２２７ｂｂ、Ｓ２２９ｂｂが存する直線Ｕ６ｂ（ＸＹ面に存し、Ｘ軸に垂直な直線）と、の間に存すると共に、Ｘ軸に平行な直線Ｕ９２上に存している。Ｓ２２９ａａ及びＳ２２９ａｂは、直線Ｕ６ａと直線Ｕ６ｂとの間に存すると共に、Ｘ軸に平行な直線Ｕ９３上に存している。ここに直線Ｕ７４と直線Ｕ９２との間の距離は、直線Ｕ７５と直線Ｕ９３との間の距離に等しい。また、Ｓ２２７ａａ、Ｓ２２９ａｂ、Ｓ２２７ｂａ及びＳ２２９ｂｂは、直線Ｕｐｐ（平面Ｐｐに存する）上に存在し、Ｓ２２７ａｂ、Ｓ２２９ａａ、Ｓ２２７ｂｂ及びＳ２２９ｂａは、直線Ｕｐｑ（平面Ｐｑに存する）上に存在している。直線Ｕ７１と直線Ｕｐｐと直線Ｕｐｑとは、一点Ｔにて交わる。
Ｓ２２７ａａとＳ２２９ａａとは、Ｙ軸に平行な直線Ｕ６ｃ上に存し、Ｓ２２７ａｂとＳ２２９ａｂとは、Ｙ軸に平行な直線Ｕ６ｄ上に存する。
【００７９】
図１８は、図１７からＳ２２５ａ、Ｓ２２５ｂ、Ｓ２２７ａａ、Ｓ２２９ａａ、Ｓ２２７ａｂ及びＳ２２９ａｂを抜き出した図である。図１８を参照して、Ｓ２２５ａ、Ｓ２２５ｂ、Ｓ２２７ａａ、Ｓ２２９ａａ、Ｓ２２７ａｂ及びＳ２２９ａｂの位置関係について説明する。
植毛面２２４ａにおいて、先端２２５ａよりも高い位置に存する先端２２７ａ、２２９ａに係る重心Ｓ２２７ａａ、Ｓ２２９ａａを結ぶＸＹ面上の線分（直線Ｕ６ｃの一部）を基準線分とすると、Ｓ２２７ａａにおいて基準線分と角度Ｑ８（ここでは２２．５度）をなす両直線Ｕ５１、Ｕ５２と、Ｓ２２９ａａにおいて基準線分と角度Ｑ８（ここでは２２．５度）をなす両直線Ｕ５３、Ｕ５４と、の４本の直線Ｕ５１、Ｕ５２、Ｕ５３、Ｕ５４によって取り囲まれる四角形の内部にＳ２２５ａが含まれる。なお、Ｓ２２５ａから基準線分に下ろした垂線の足Ｒａは基準線分の中点に略位置している。
植毛面２２４ｂにおいて、先端２２５ａよりも高い位置に存する先端２２７ａ、２２９ａに係る重心Ｓ２２７ａｂ、Ｓ２２９ａｂを結ぶＸＹ面上の線分（直線Ｕ６ｄの一部）を基準線分とすると、Ｓ２２７ａｂにおいて基準線分と角度Ｑ９（ここでは２２．５度）をなす両直線Ｕ５５、Ｕ５６と、Ｓ２２９ａｂにおいて基準線分と角度Ｑ９（ここでは２２．５度）をなす両直線Ｕ５７、Ｕ５８と、の４本の直線Ｕ５５、Ｕ５６、Ｕ５７、Ｕ５８によって取り囲まれる四角形の内部にＳ２２５ｂが含まれる。なお、Ｓ２２５ｂから基準線分に下ろした垂線の足Ｒｂは基準線分の中点に略位置している。
【００８０】
以上説明の通り、第５歯ブラシのブラシ部５２１は、植毛面２２４ａと植毛面２２４ｂとにそれぞれ次のブラシ部を含んでなる。即ち、該ブラシ部は、Ｚ軸方向に往復運動（矢印Ｖ方向に往復運動）する電動歯ブラシ（第５歯ブラシ）のブラシ部であって、第１基端（基端２２５ｂ）が支持され、Ｚ軸に平行な両方向のうち一方向（ここでは図１５（ａ）（ｃ）において上方向）への成分を有する第１方向（長手方向Ｌ１に沿って上方向）に向けて第１先端（先端２２５ａ）が突出するように配設された第１毛束（第１短毛束２２５）と、第２基端（基端２２７ｂ）が支持され、該一方向（図１５（ａ）（ｃ）において上方向）への成分を有する第２方向（長手方向Ｌ２に沿って上方向）に向けて第２先端（先端２２７ａ）が突出するように配設された第２毛束（第１長毛束２２７）と、第３基端（基端２２９ｂ）が支持され、該一方向（図１５（ａ）（ｃ）において上方向）への成分を有する第３方向（長手方向Ｌ３に沿って上方向）に向けて第３先端（先端２２９ａ）が突出するように配設された第３毛束（第２長毛束２２９）と、を備えてなり、Ｚ軸に第２先端（先端２２７ａ）から下ろした垂線の足であるＺ軸第２先端足（ＸＹ面Ｐ２とＺ軸との交点）と、Ｚ軸に第３先端（先端２２９ａ）から下ろした垂線の足であるＺ軸第３先端足（ＸＹ面Ｐ２とＺ軸との交点）と、のいずれも、Ｚ軸に第１先端（先端２２５ａ）から下ろした垂線の足であるＺ軸第１先端足（ＸＹ面Ｐ３とＺ軸との交点）よりも該一方向（図１５（ａ）（ｃ）において上方向）側に位置すると共に、Ｚ軸に垂直なＸＹ平面（図１７及び図１８が示す面）に第２先端（先端２２７ａ）から下ろした垂線の足であるＸＹ面第２先端足（重心Ｓ２２７ａａ、Ｓ２２７ａｂ）と、ＸＹ平面（図１７、図１８）に第３先端（先端２２９ａ）から下ろした垂線の足であるＸＹ面第３先端足（重心Ｓ２２９ａａ、Ｓ２２９ａｂ）と、を結ぶ線分である連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）を含む連結直線（直線Ｕ６ｃ、Ｕ６ｄ）に、ＸＹ平面（図１７、図１８）に第１先端（先端２２５ａ）から下ろした垂線の足であるＸＹ面第１先端足（重心Ｓ２２５ａ、Ｓ２２５ｂ）から垂線を下ろした位置足（垂線の足Ｒａ、Ｒｂ）がＸＹ面第２先端足（重心Ｓ２２７ａａ、Ｓ２２７ａｂ）とＸＹ面第３先端足（重心Ｓ２２９ａａ、Ｓ２２９ａｂ）との間の連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）に含まれるか、又はＸＹ面第１先端足が連結線分に含まれるものである、ブラシ部（ここではＸＹ面第１先端足（重心Ｓ２２５ａ、Ｓ２２５ｂ）から垂線を下ろした位置足（垂線の足Ｒａ、Ｒｂ）が、連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）に含まれる）である。
【００８１】
第５歯ブラシのブラシ部５２１においては、植毛面２２４ａと植毛面２２４ｂとのいずれに形成されるブラシ部も、ＸＹ面第２先端足（重心Ｓ２２７ａａ、Ｓ２２７ａｂ）とＸＹ面第３先端足（重心Ｓ２２９ａａ、Ｓ２２９ａｂ）とに一対の対角が存しＸＹ平面に存する菱形（４本の直線Ｕ５１、Ｕ５２、Ｕ５３、Ｕ５４、４本の直線Ｕ５５、Ｕ５６、Ｕ５７、Ｕ５８によって取り囲まれる四角形たる菱形）の内部に、ＸＹ面第１先端足（重心Ｓ２２５ａ、Ｓ２２５ｂ）が存するものである。
第５歯ブラシのブラシ部５２１においては、いずれの前記菱形の前記対角も４５度である。
第５歯ブラシのブラシ部５２１においては、植毛面２２４ａと植毛面２２４ｂとのいずれに形成されるブラシ部も、Ｚ軸第２先端足（ＸＹ面Ｐ２とＺ軸との交点）とＺ軸第３先端足（ＸＹ面Ｐ２とＺ軸との交点）とが一致する。
第５歯ブラシのブラシ部５２１においては、植毛面２２４ａと植毛面２２４ｂとのいずれに形成されるブラシ部も、Ｚ軸第２先端足（ＸＹ面Ｐ２とＺ軸との交点）とＺ軸第１先端足（ＸＹ面Ｐ３とＺ軸との交点）との間の距離（距離Ｎ４＝約２ｍｍ）と、Ｚ軸第３先端足（ＸＹ面Ｐ２とＺ軸との交点）とＺ軸第１先端足（ＸＹ面Ｐ３とＺ軸との交点）との間の距離（距離Ｎ４＝約２ｍｍ）と、のいずれもが１．０ｍｍ〜３．０ｍｍである。
第５歯ブラシのブラシ部５２１においては、植毛面２２４ａと植毛面２２４ｂとのいずれに形成されるブラシ部も、前記位置足（垂線の足Ｒａ、Ｒｂ）、又はＸＹ面第１先端足（重心Ｓ２２５ａ、Ｓ２２５ｂ）が連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）に含まれる場合のＸＹ面第１先端足（重心Ｓ２２５ａ、Ｓ２２５ｂ）と、連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）の中点と、の間の距離ｄ１（ここでは位置足（垂線の足Ｒａ、Ｒｂ）が連結線分の中点に位置するので、ｄ１＝０）を連結線分の長さｄ０で除した値（ｄ１／ｄ０）が０（０〜１／３）である。
【００８２】
第５歯ブラシのブラシ部５２１においては、植毛面２２４ａと植毛面２２４ｂとのいずれに形成されるブラシ部も、前記連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）にＸＹ面第２先端足（重心Ｓ２２７ａａ、Ｓ２２７ａｂ）にて直交する直線であるＸＹ面第２先端足直交直線（ここでは直線Ｕ９２に一致する）によりＸＹ平面が、ＸＹ面第３先端足（重心Ｓ２２９ａａ、Ｓ２２９ａｂ）が存する一方Ｍ１と、他方Ｍ２と、に分割され、ＸＹ平面に第２基端（基端２２７ｂ）から下ろした垂線の足であるＸＹ面第２基端足（重心Ｓ２２７ｂａ、Ｓ２２７ｂｂ）が、該他方Ｍ２に存するものである。
第５歯ブラシのブラシ部５２１においては、植毛面２２４ａと植毛面２２４ｂとのいずれに形成されるブラシ部も、第２毛束（第１長毛束２２７）の長手方向Ｌ２がＺ軸に対する角度が５度（３〜１０度）である。
【００８３】
第５歯ブラシのブラシ部５２１においては、植毛面２２４ａと植毛面２２４ｂとのいずれに形成されるブラシ部も、前記連結線分（直線Ｕ６ｃのうち重心Ｓ２２７ａａ、Ｓ２２９ａａとの間に存する部分、直線Ｕ６ｄのうち重心Ｓ２２７ａｂ、Ｓ２２９ａｂとの間に存する部分）にＸＹ面第３先端足（重心Ｓ２２９ａａ、Ｓ２２９ａｂ）にて直交する直線であるＸＹ面第３先端足直交直線（ここでは直線Ｕ９３に一致する）によりＸＹ平面が、ＸＹ面第２先端足（重心Ｓ２２７ａａ、Ｓ２２７ａｂ）が存する一方Ｍ３と、他方Ｍ４と、に分割され、ＸＹ平面に第３基端（基端２２９ｂ）から下ろした垂線の足であるＸＹ面第３基端足（重心Ｓ２２９ｂａ、Ｓ２２９ｂｂ）が、該他方Ｍ４に存するものである。
第５歯ブラシのブラシ部５２１においては、植毛面２２４ａと植毛面２２４ｂとのいずれに形成されるブラシ部も、第３毛束（第２長毛束２２９）の長手方向Ｌ３がＺ軸に対する角度が５度（３〜１０度）である。
【００８４】
第５歯ブラシのブラシ部５２１においては、植毛面２２４ａと植毛面２２４ｂとのいずれに形成されるブラシ部も、第１毛束（第１短毛束２２５）が、Ｚ軸に平行な真っ直ぐのものであり、第２毛束（第１長毛束２２７）と第３毛束（第２長毛束２２９）とが、Ｚ軸に平行な平面（ここでは連結線分に対して垂直な平面であって、連結線分の中点にて連結線分と交わる平面）に対して面対称に配設されるものである。
第５歯ブラシのブラシ部５２１は、植毛面２２４ａに形成されるブラシ部と植毛面２２４ｂに形成されるブラシ部との２のブラシ部を含んでなり、該２のブラシ部のうち一方（植毛面２２４ａ側）のブラシ部の第１先端（先端２２５ａ）と該２のブラシ部のうち他方（植毛面２２４ｂ側）のブラシ部の第１先端（先端２２５ａ）と、該一方（植毛面２２４ａ側）のブラシ部の第２先端（先端２２７ａ）と該他方（植毛面２２４ｂ側）のブラシ部の第２先端（先端２２７ａ）と、該一方（植毛面２２４ａ側）のブラシ部の第３先端（先端２２９ａ）と該他方（植毛面２２４ｂ側）のブラシ部の第３先端（先端２２９ａ）と、のいずれもが、Ｚ軸に平行な平面Ｐｍに対し面対称に存するものである、ブラシ部である。
第５歯ブラシのブラシ部５２１は、ブラシ部５２１と、該ブラシ部５２１が着脱自在に取り付けられ該ブラシ部５２１をＺ軸方向に往復運動させる本体部１３と、を備えてなる電動歯ブラシ（第５歯ブラシ）を構成している。
【実施例】
【００８５】
以下、本発明を具体的に説明するために、実施例を挙げる。しかしながら、これら実施例によって、本発明は何ら制限されるものではない。
【００８６】
上記した第２歯ブラシを構成するブラシ部２２１（以下「凹傾斜ブラシ部」という。）と、凹傾斜ブラシ部における第１長毛束２２７及び第２長毛束２２９を傾斜させないもの（第１短毛束２２５と長手方向を平行に配置する。角度Ｑ１及びＱ２＝０。）であるブラシ部（以下「凹直立ブラシ部」という。）と、凹直立ブラシ部における第１短毛束２２５を第１長毛束２２７と第２長毛束２２９と同じ長さにしたもの（即ち、第１短毛束２２５の先端２２５ａが、第１長毛束２２７の先端２２７ａと、第２長毛束２２９の先端２２９ａと、が属するＺ軸に対して垂直な平面に属する。）であるブラシ部（以下「平らブラシ部」という。）と、平らブラシ部から第１長毛束２２７と第２長毛束２２９とを除いたもの（即ち、第１短毛束２２５のみとしたもの。）であるブラシ部（以下「一毛束ブラシ部」という。）と、の４種類のブラシ部を準備した。
さらに、これら４種類のブラシ部を装着する本体部１３として、株式会社Ｓ．Ｅ．Ｗの商品名「ペッカーミニ」（型番なし）を準備した。
【００８７】
これら４種類のブラシ部それぞれを本体部１３に装着（ここでは接着）して、以下述べる歯垢除去実験及び毛先到達実験を行った。
これら歯垢除去実験及び毛先到達実験は、『田島らの方法（田島睦子、植松道夫、武者良憲、効果的な刷掃について−電動歯ブラシ２、  静岡県立大学短期大学部  特別研究報告書(１７年度)、１−６ページ）』に準拠して次のように行った。
【００８８】
株式会社ニッシンの歯牙模型（ＳＲＰ実習用顎模型、ＳＲＰ−２）の左右の上顎中切歯を模型から外し、これら左右の上顎中切歯それぞれの近心面、唇面、遠心面に人工プラーク(株式会社ニッシン、６Ｈ４２２０９３０）を塗布し、５分間の自然乾燥後、模型に再装着した。
上記したブラシ部を本体部１３に装着（接着）し、歯牙模型の左右の上顎中切歯の歯面（唇面）に毛束の長手方向が垂直になるようにし、本体部１３のスイッチを入れ５秒間人工プラークが除去できるように毛先を左右上顎中切歯に対して移動させた。
その後、左右の上顎中切歯を模型から外し、左右の上顎中切歯それぞれの近心面、唇側面、遠心面をデジタルカメラにより撮影した。なお、図１９（ａ）は、左右の上顎中切歯が模型に装着されている状態を示す拡大図（唇側から見たところ）であり、右側上顎中切歯５０１と、左側上顎中切歯５３１と、が模型の歯茎５５１に装着されており、右側上顎中切歯５０１の近心面５０３、唇面５０５、遠心面５０７が示されると共に、左側上顎中切歯５３１の近心面５３３、唇面５３５、遠心面５３７が示されている。
撮影した写真は、所定の大きさにプリントアウトし、次のように歯垢の除去の程度を評価した。
【００８９】
まず、唇面５０５、５３５は、図１９（ｂ）に示すように、いずれも縦方向に３等分、横方向に３等分し、９個の領域ａ１、ａ２、・・・・ａ８、ａ９に分割した。これら９個の領域ａ１、ａ２、・・・・ａ８、ａ９それぞれについて、下の歯垢付着率を評価した。
・歯垢付着率０：領域の面積の２０％未満に歯垢付着が認められる。
・歯垢付着率０．５：領域の面積の２０％〜８０％に歯垢付着が認められる。
・歯垢付着率１：領域の面積の８０％を超える部分に歯垢付着が認められる。
そして、これら９個の領域ａ１、ａ２、・・・・ａ８、ａ９の歯垢付着率を合計し９で除し１００倍したものを唇面５０５、５３５の歯垢付着率（％）とした。また、１００から歯垢付着率（％）を減じたものを歯垢除去率（％）とした。そして、唇面５０５の歯垢除去率と唇面５３５の歯垢除去率との算術平均を唇面平均の歯垢除去率とした。
【００９０】
右側上顎中切歯５０１の近心面５０３及び遠心面５０７と、左側上顎中切歯５３１の近心面５３３及び遠心面５３７と、は、いずれも図２０（ａ）及び（ｂ）に示す通り、いずれも縦方向に２等分、横方向に３等分し、６個の領域ｂ１、ｂ２、ｂ３、ｂ４、ｂ５、ｂ６に分割した。これら６個の領域ｂ１、ｂ２、ｂ３、ｂ４、ｂ５、ｂ６それぞれについて、上記と同様に０、０．５及び１として歯垢付着率を評価した。
そして、これら６個の領域ｂ１、ｂ２、ｂ３、ｂ４、ｂ５、ｂ６の歯垢付着率を合計し６で除し１００倍したものを近心面５０３、５３３及び遠心面５０７、５３７の歯垢付着率（％）とした。また、１００から歯垢付着率（％）を減じたものを歯垢除去率（％）とした。そして、近心面５０３の歯垢除去率と近心面５３３の歯垢除去率との算術平均を近心面平均の歯垢除去率とし、遠心面５０７の歯垢除去率と遠心面５３７の歯垢除去率との算術平均を遠心面平均の歯垢除去率とした。
また、唇面平均の歯垢除去率と近心面平均の歯垢除去率と遠心面平均の歯垢除去率との算術平均を全平均の歯垢除去率とした。
【００９１】
加えて、毛先到達実験として、近心面５０３、５３３及び遠心面５０７、５３７において前側（唇面側）の辺縁５６０からの毛束先端の最長到達部位Ｇ（最も奥まで毛先が到達している位置）までの距離ｄを計測した。
この近心面５０３における距離ｄと、近心面５３３における距離ｄと、を算術平均したものを近心毛先到達距離（ｍｍ）とした。
同様に、遠心面５０７における距離ｄと、遠心面５３７における距離ｄと、を算術平均したものを遠心毛先到達距離（ｍｍ）とした。
また、近心毛先到達距離と遠心毛先到達距離との算術平均を全平均毛先到達距離とした。
【００９２】
凹傾斜ブラシ部、凹直立ブラシ部、平らブラシ部、一毛束ブラシ部それぞれについてこの歯垢除去実験及び毛先到達実験を２０回繰り返して行った。
歯垢除去実験の結果を図２１にまとめて示し、毛先到達実験の結果を図２２にまとめて示した。
図２１及び図２２いずれも、「三毛束（凹・傾斜）」は凹傾斜ブラシ部に関する結果を示し、「三毛束（凹）」は凹直立ブラシ部に関する結果を示し、「三毛束」は平らブラシ部に関する結果を示し、そして「一毛束」は一毛束ブラシ部に関する結果を示している。
図２１における「全平均」は、２０回の繰り返しの各回における全平均の歯垢除去率の合計を２０で除したものであり、「唇面平均」は、２０回の繰り返しの各回における唇面平均の歯垢除去率の合計を２０で除したものであり、「近心平均」は、２０回の繰り返しの各回における近心面平均の歯垢除去率の合計を２０で除したものであり、「遠心平均」は、２０回の繰り返しの各回における遠心面平均の歯垢除去率の合計を２０で除したものである。
図２２における「全平均」は、２０回の繰り返しの各回における全平均毛先到達距離の合計を２０で除したものであり、「近心平均」は、２０回の繰り返しの各回における近心毛先到達距離の合計を２０で除したものであり、「遠心平均」は、各回における遠心毛先到達距離の合計を２０で除したものである。
統計処理は等分散の検定をしたのち、それぞれについてｔ−検定を行った。
【００９３】
図２１に示される近心平均の歯垢除去率は、一毛束ブラシより平らブラシ部の方が良く、さらに平らブラシ部よりも凹直立ブラシ部の方が際立って良かった。なお、凹直立ブラシ部よりも凹傾斜ブラシ部は歯垢除去率がやや低下したが、両者はほぼ同じレベルであった。
図２１に示される遠心平均の歯垢除去率は、一毛束ブラシ、平らブラシ部及び凹直立ブラシ部はほとんど同じ程度であったが、これら３のものに比し凹傾斜ブラシ部は極めて良好であった。
図２１に示される唇面平均の歯垢除去率は、一毛束ブラシより平らブラシ部の方が良く、さらに平らブラシ部よりも凹直立ブラシ部の方がやや良かった。凹直立ブラシ部よりも凹傾斜ブラシ部は歯垢除去率がやや低下したが、両者はほぼ同じレベルであった。
図２１に示される全平均の歯垢除去率は、一毛束ブラシより平らブラシ部の方が良く、さらに平らブラシ部よりも凹直立ブラシ部の方が良かった。そして凹直立ブラシ部よりも凹傾斜ブラシ部の方が歯垢除去率が向上した。
以上のことから、歯垢除去効果は、平らブラシ部よりも凹直立ブラシ部及び凹傾斜ブラシ部が極めて良く、とりわけ歯垢が残りやすい遠心部分における歯垢除去効果については凹傾斜ブラシ部（他のブラシの３倍以上）が際だっていた。
【００９４】
図２２に示される近心平均の毛先到達距離は、平らブラシ部よりも凹直立ブラシ部及び凹傾斜ブラシ部の方が大きく、真ん中の毛先（先端２２５ａ）よりも両側の毛先（先端２２７ａ、先端２２９ａ）が突出している方（凹直立ブラシ部、凹傾斜ブラシ部）が毛先が歯間部の深くまで到達することが明らかになった。
図２２に示される遠心平均の毛先到達距離は、平らブラシ部よりも凹直立ブラシ部の方が良く、さらに凹直立ブラシ部よりも凹傾斜ブラシ部の方が際だって良かった。
図２２に示される全平均の毛先到達距離は、平らブラシ部よりも凹直立ブラシ部の方が良く、さらに凹直立ブラシ部よりも凹傾斜ブラシ部の方が良かった。
【００９５】
歯垢除去効果及び毛先到達距離の実験結果によれば、平らブラシ部よりも凹直立ブラシ部及び凹傾斜ブラシ部が良く、とりわけ歯垢が残りやすい遠心部分においては凹傾斜ブラシ部が優れていた。
また、第３歯ブラシ（ブラシ部３２１を有するもの）についても、上記と同じ歯垢除去効果及び毛先到達距離の実験を行ったところ、凹傾斜ブラシ部の実験結果と同様の結果が得られた。
加えて、第１歯ブラシ（ブラシ部２１を有するもの）については、歯垢除去効果及び毛先到達距離の実験を行ったところ、近心面５０３、５３３に関しては凹傾斜ブラシ部の実験結果と同様の結果が得られた。
さらに、一毛束ブラシ部、平らブラシ部、凹直立ブラシ部及び凹傾斜ブラシ部を用いた歯磨きの歯肉マッサージ効果については、一毛束ブラシ部よりも平らブラシ部がよく、さらに平らブラシ部よりも凹直立ブラシ部がよく、そして凹直立ブラシ部よりも凹傾斜ブラシ部がよいことが判明した。
【符号の説明】
【００９６】
１１          第１歯ブラシ
１３          本体部
２１          ブラシ部（第１歯ブラシに係る）
２１ｅ        基端
２３          ブラシ部本体
２３ａ        軸部
２３ｂ        ヘッド部
２４          植毛面
２５          第１短毛束
２５ａ        先端
２５ｂ        基端
２５ｒ        正投影
２６          毛
２７          第１長毛束
２７ａ        先端
２７ａｒ      正投影
２７ｂ        基端
２７ｂｒ      正投影
２９          第２長毛束
２９ａ        先端
２９ａｒ      正投影
２９ｂ        基端
２９ｂｒ      正投影
２２１          ブラシ部（第２歯ブラシに係る）
２２３          ブラシ部本体
２２３ａ        軸部
２２３ｂ        ヘッド部
２２４          植毛面
２２４ａ、２２４ｂ  植毛面
２２５          第１短毛束
２２５ｒ        正投影
２２５ｒａ、２２５ｒｂ  正投影
２２５ａ        先端
２２５ｂ        基端
２２７          第１長毛束
２２７ａ        先端
２２７ａｒ      正投影
２２７ａｒａ、２２７ａｒｂ  正投影
２２７ｂ        基端
２２７ｂｒ      正投影
２２７ｂｒａ、２２７ｂｒｂ  正投影
２２９          第２長毛束
２２９ａ        先端
２２９ａｒ      正投影
２２９ａｒａ、２２９ａｒｂ  正投影
２２９ｂ        基端
２２９ｂｒ      正投影
２２９ｂｒａ、２２９ｂｒｂ  正投影
３２１          ブラシ部（第３歯ブラシに係る）
３２３          ブラシ部本体
３２３ａ        軸部
３２３ｂ        ヘッド部
３２３ｂａ１、３２３ｂａ２  張り出し部
３２４          植毛面
３２４ｂａ１、３２４ｂａ２  植毛面
３２７          第３長毛束
３２７ａ        先端
３２７ａｒ      正投影
３２７ｂ        基端
３２７ｂｒ      正投影
３２９          第４長毛束
３２９ａ        先端
３２９ａｒ      正投影
３２９ｂ        基端
３２９ｂｒ      正投影
４２１          ブラシ部（第４歯ブラシに係る）
４２３          ブラシ部本体
４２３ａ        軸部
４２３ｂ        ヘッド部
５０１          右側上顎中切歯
５０３          近心面
５０５          唇面
５０７          遠心面
５２１          ブラシ部（第５歯ブラシに係る）
５３１          左側上顎中切歯
５３３          近心面
５３５          唇面
５３７          遠心面
５５１          歯茎
Ｓ２５、Ｓ２７ａ、Ｓ２９ａ、Ｓ２７ｂ、Ｓ２９ｂ  重心
Ｓ２２５、Ｓ２２７ａ、Ｓ２２９ａ、Ｓ２２７ｂ、Ｓ２２９ｂ  重心
Ｓ３２７ａ、Ｓ３２９ａ、Ｓ３２７ｂ、Ｓ３２９ｂ  重心
Ｓ２２５ａ、Ｓ２２５ｂ、Ｓ２２７ａａ、Ｓ２２７ａｂ、Ｓ２２９ａａ、Ｓ２２９ａｂ、Ｓ２２７ｂａ、Ｓ２２７ｂｂ、Ｓ２２９ｂａ、Ｓ２２９ｂｂ  重心
【図１】
2019097915.tif 000003
【図２】
2019097915.tif 000004
【図３】
2019097915.tif 000005
【図４】
2019097915.tif 000006
【図５】
2019097915.tif 000007
【図６】
2019097915.tif 000008
【図７】
2019097915.tif 000009
【図８】
2019097915.tif 000010
【図９】
2019097915.tif 000011
【図１０】
2019097915.tif 000012
【図１１】
2019097915.tif 000013
【図１２】
2019097915.tif 000014
【図１３】
2019097915.tif 000015
【図１４】
2019097915.tif 000016
【図１５】
2019097915.tif 000017
【図１６】
2019097915.tif 000018
【図１７】
2019097915.tif 000019
【図１８】
2019097915.tif 000020
【図１９】
2019097915.tif 000021
【図２０】
2019097915.tif 000022
【図２１】
2019097915.tif 000023
【図２２】
2019097915.tif 000024